(57)【要約】【課題】商品に対する消費者の信用度を増大させると共に、消費者が安心して商品を選択できるようにする。【解決手段】商品提供者の端末２から送信された商品提供者情報を記録する商品提供者情報記録手段６と、情報提供者の端末３から送信された情報提供者情報を記録する情報提供者情報記録手段７とを備える。【選択図】図１
2020177636.tif 000002
【特許請求の範囲】
【請求項１】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品の品質理解のための第１の情報を有し、
前記情報提供者情報は、
前記商品提供者から提供された前記商品の情報と、
前記商品提供者から提供された前記商品の品質理解のための第２の情報であって、前記第１の情報と同一内容であるべき前記第２の情報と、
前記商品と同種同類の商品である参考商品、若しくは、前記商品と比較可能な状態で提供される商品である参考商品の情報と、
前記参考商品の品質理解のための第４の情報を有する、商品情報管理システムであって、
前記情報提供者情報記録手段は、前記情報提供者情報を前記商品提供者情報と対応させて記録すると共に、
前記第２の情報は、前記第１の情報に対応する情報を含む
商品情報管理システム。
【請求項２】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品の品質理解のための第１の情報と、
前記商品と同種同類の商品である参考商品、若しくは、前記商品と比較可能な状態で提供される商品である参考商品の情報と、
前記参考商品の品質理解のための第３の情報を有し、
前記情報提供者情報は、
前記商品提供者から提供された前記商品の情報と、
前記商品提供者から提供された前記商品の品質理解のための第２の情報であって、前記第１の情報と同一内容であるべき前記第２の情報と、
前記参考商品の情報と、
前記参考商品の品質理解のための第４の情報であって、前記第３の情報と同一内容であるべき前記第４の情報を有する、商品情報管理システムであって、
前記情報提供者情報記録手段は、前記情報提供者情報を前記商品提供者情報と対応させて記録すると共に、
前記第２の情報は、前記第１の情報に対応する情報を含む
商品情報管理システム。
【請求項３】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品の品質理解のための第１の情報と、
前記商品と同種同類の商品である参考商品、若しくは、前記商品と比較可能な状態で提供される商品である参考商品の情報と、
前記参考商品の品質理解のための第３の情報を有し、
前記情報提供者情報は、
前記商品提供者から提供された前記商品の情報と、
前記商品提供者から提供された前記商品の品質理解のための第２の情報であって、前記第１の情報と同一内容であるべき前記第２の情報を有する、商品情報管理システムであって、
前記情報提供者情報記録手段は、前記情報提供者情報を前記商品提供者情報と対応させて記録すると共に、
前記第２の情報は、前記第１の情報に対応する情報を含む
商品情報管理システム。
【請求項４】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品と共に提供され、前記商品の品質理解のための付属物の情報を有し、
前記情報提供者情報は、
前記商品提供者から提供された前記商品の情報と、
前記商品提供者から提供された前記商品の品質理解のための第２の情報であって、前記付属物の情報と同一内容であるべき前記第２の情報と、
前記商品と同種同類の商品である参考商品、若しくは、前記商品と比較可能な状態で提供される商品である参考商品の情報と、
前記参考商品の品質理解のための第４の情報を有する、商品情報管理システムであって、
前記情報提供者情報記録手段は、前記情報提供者情報を前記商品提供者情報と対応させて記録すると共に、
前記第２の情報は、前記付属物の情報を含む
商品情報管理システム。
【請求項５】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品と共に提供され、前記商品の品質理解のための付属物の情報と、
前記商品と同種同類の商品である参考商品、若しくは、前記商品と比較可能な状態で提供される商品である参考商品の情報と、
前記参考商品の品質理解のための第３の情報を有し、
前記情報提供者情報は、
前記商品提供者から提供された前記商品の情報と、
前記商品提供者から提供された前記商品の品質理解のための第２の情報であって、前記付属物の情報と同一内容であるべき前記第２の情報と、
前記参考商品の情報と、
前記参考商品の品質理解のための第４の情報であって、前記第３の情報と同一内容であるべき前記第４の情報を有する、商品情報管理システムであって、
前記情報提供者情報記録手段は、前記情報提供者情報を前記商品提供者情報と対応させて記録すると共に、
前記第２の情報は、前記付属物の情報を含む
商品情報管理システム。
【請求項６】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品と共に提供され、前記商品の品質理解のための付属物の情報と、
前記商品と同種同類の商品である参考商品、若しくは、前記商品と比較可能な状態で提供される商品である参考商品の情報と、
前記参考商品の品質理解のための第３の情報を有し、
前記情報提供者情報は、
前記商品提供者から提供された前記商品の情報と、
前記商品提供者から提供された前記商品の品質理解のための第２の情報であって、前記付属物の情報と同一内容であるべき前記第２の情報を有する、商品情報管理システムであって、
前記情報提供者情報記録手段は、前記情報提供者情報を前記商品提供者情報と対応させて記録すると共に、
前記第２の情報は、前記付属物の情報を含む
商品情報管理システム。
【請求項７】
前記情報提供者は、前記商品提供者が提供する商品の生産地、生産場所、製造場所、保管場所、輸送手段、販売場所、若しくは、取締場所の少なくとも１つに立ち入って情報収集を行い、または、カメラを通じて、前記商品提供者が提供する商品の生産地、生産場所、製造場所、保管場所、輸送手段、販売場所、若しくは、取締場所の少なくとも１つの情報収集を行い、
前記第２の情報は、前記情報提供者が立ち入って、または、カメラを通じて情報収集した情報である
請求項１、請求項２、請求項３、請求項４、請求項５または請求項６に記載の商品情報管理システム。
【請求項８】
前記情報提供者情報記録手段は、前記商品提供者情報記録手段とは異なる
請求項１、請求項２、請求項３、請求項４、請求項５、請求項６または請求項７に記載の商品情報管理システム。
【請求項９】
前記商品提供者情報は、前記商品の提供先である前記情報提供者の情報を有する
請求項１、請求項２、請求項３、請求項４、請求項５、請求項６、請求項７または請求項８に記載の商品情報管理システム。
【請求項１０】
前記商品提供者情報記録手段に前記第１の情報若しくは前記付属物の情報が記録されると、前記商品提供者情報記録手段に記録された前記情報提供者の情報に基づいて、前記情報提供者の端末に前記第１の情報若しくは前記付属物の情報が記録された旨を通知すべく構成されている
請求項９に記載の商品情報管理システム。
【請求項１１】
前記商品提供者情報の少なくとも一部、若しくは、前記情報提供者情報の少なくとも一部、若しくは、前記商品提供者情報の少なくとも一部及び前記情報提供者情報の少なくとも一部、の情報に基づいて、人工知能により所定の情報をＡＩ情報として記録するＡＩ情報記録手段を備える
請求項１、請求項２、請求項３、請求項４、請求項５、請求項６、請求項７、請求項８、請求項９または請求項１０に記載の商品情報管理システム。
【請求項１２】
前記商品提供者情報記録手段に記録された商品提供者情報の少なくとも一部、若しくは、前記情報提供者情報記録手段に記録された情報提供者情報の少なくとも一部、若しくは、前記商品提供者情報記録手段に記録された商品提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項１、請求項２、請求項３、請求項４、請求項５、請求項６、請求項７、請求項８、請求項９または請求項１０に記載の商品情報管理システム。
【請求項１３】
前記情報提供者情報記録手段に記録された前記情報提供者情報のうち、前記商品提供者が選択した情報提供者情報である選択情報、若しくは、同選択情報にアクセス可能な識別子の情報を出力する選択情報出力手段と、
前記選択情報出力手段が情報を出力することによって、前記情報提供者情報が利用された前記情報提供者に対して、ポイントを付与するポイント付与手段と、を備える
請求項１、請求項２、請求項３、請求項４、請求項５、請求項６、請求項７、請求項８、請求項９、請求項１０、請求項１１または請求項１２に記載の商品情報管理システム。
【請求項１４】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスの品質理解のための第１の情報を有し、
前記情報提供者情報は、
前記サービス提供者から提供された前記サービスの情報と、
前記サービス提供者から提供された前記サービスの品質理解のための第２の情報であって、前記第１の情報と同一内容であるべき前記第２の情報と、
前記サービスと同種同類のサービスである参考サービスの情報と、
前記参考サービスの品質理解のための第４の情報を有する、サービス情報管理システムであって、
前記情報提供者情報記録手段は、前記情報提供者情報を前記サービス提供者情報と対応させて記録すると共に、
前記第２の情報は、前記第１の情報に対応する情報を含む
サービス情報管理システム。
【請求項１５】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスの品質理解のための第１の情報と、
前記サービスと同種同類のサービスである参考サービスの情報と、
前記参考サービスの品質理解のための第３の情報を有し、
前記情報提供者情報は、
前記サービス提供者から提供された前記サービスの情報と、
前記サービス提供者から提供された前記サービスの品質理解のための第２の情報であって、前記第１の情報と同一内容であるべき前記第２の情報と、
前記参考サービスの情報と、
前記参考サービスの品質理解のための第４の情報であって、前記第３の情報と同一内容であるべき前記第４の情報を有する、サービス情報管理システムであって、
前記情報提供者情報記録手段は、前記情報提供者情報を前記サービス提供者情報と対応させて記録すると共に、
前記第２の情報は、前記第１の情報に対応する情報を含む
サービス情報管理システム。
【請求項１６】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスの品質理解のための第１の情報と、
前記サービスと同種同類のサービスである参考サービスの情報と、
前記参考サービスの品質理解のための第３の情報を有し、
前記情報提供者情報は、
前記サービス提供者から提供された前記サービスの情報と、
前記サービス提供者から提供された前記サービスの品質理解のための第２の情報であって、前記第１の情報と同一内容であるべき前記第２の情報を有する、サービス情報管理システムであって、
前記情報提供者情報記録手段は、前記情報提供者情報を前記サービス提供者情報と対応させて記録すると共に、
前記第２の情報は、前記第１の情報に対応する情報を含む
サービス情報管理システム。
【請求項１７】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスと共に提供され、前記サービスの品質理解のための付属物の情報を有し、
前記情報提供者情報は、
前記サービス提供者から提供された前記サービスの情報と、
前記サービス提供者から提供された前記サービスの品質理解のための第２の情報であって、前記付属物の情報と同一内容であるべき前記第２の情報と、
前記サービスと同種同類のサービスである参考サービスの情報と、
前記参考サービスの品質理解のための第４の情報を有する、サービス情報管理システムであって、
前記情報提供者情報記録手段は、前記情報提供者情報を前記サービス提供者情報と対応させて記録すると共に、
前記第２の情報は、前記付属物の情報を含む
サービス情報管理システム。
【請求項１８】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスと共に提供され、前記サービスの品質理解のための付属物の情報と、
前記サービスと同種同類のサービスである参考サービスの情報と、
前記参考サービスの品質理解のための第３の情報を有し、
前記情報提供者情報は、
前記サービス提供者から提供された前記サービスの情報と、
前記サービス提供者から提供された前記サービスの品質理解のための第２の情報であって、前記付属物の情報と同一内容であるべき前記第２の情報と、
前記参考サービスの情報と、
前記参考サービスの品質理解のための第４の情報であって、前記第３の情報と同一内容であるべき前記第４の情報を有する、サービス情報管理システムであって、
前記情報提供者情報記録手段は、前記情報提供者情報を前記サービス提供者情報と対応させて記録すると共に、
前記第２の情報は、前記付属物の情報を含む
サービス情報管理システム。
【請求項１９】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスと共に提供され、前記サービスの品質理解のための付属物の情報と、
前記サービスと同種同類のサービスである参考サービスの情報と、
前記参考サービスの品質理解のための第３の情報を有し、
前記情報提供者情報は、
前記サービス提供者から提供された前記サービスの情報と、
前記サービス提供者から提供された前記サービスの品質理解のための第２の情報であって、前記付属物の情報と同一内容であるべき第２の情報を有する、サービス情報管理システムであって、
前記情報提供者情報記録手段は、前記情報提供者情報を前記サービス提供者情報と対応させて記録すると共に、
前記第２の情報は、前記付属物の情報を含む
サービス情報管理システム。
【請求項２０】
前記情報提供者は、前記サービス提供者が提供するサービスの提供場所、前記サービス提供者が提供するサービスに用いる物の生産地、前記サービス提供者が提供するサービスに用いる物の生産場所、前記サービス提供者が提供するサービスに用いる物の製造場所、前記サービス提供者が提供するサービスに用いる物の保管場所、前記サービス提供者が提供するサービスに用いる物の輸送手段、前記サービス提供者が提供するサービスに用いる物の販売場所、若しくは、前記サービス提供者が提供するサービスに用いる物の取締場所の少なくとも１つに立ち入って情報収集を行い、または、カメラを通じて、前記サービス提供者が提供するサービスの提供場所、前記サービス提供者が提供するサービスに用いる物の生産地、前記サービス提供者が提供するサービスに用いる物の生産場所、前記サービス提供者が提供するサービスに用いる物の製造場所、前記サービス提供者が提供するサービスに用いる物の保管場所、前記サービス提供者が提供するサービスに用いる物の輸送手段、前記サービス提供者が提供するサービスに用いる物の販売場所、若しくは、前記サービス提供者が提供するサービスに用いる物の取締場所の少なくとも１つの情報収集を行い、
前記第２の情報は、前記情報提供者が立ち入って、または、カメラを通じて情報収集した情報である
請求項１４、請求項１５、請求項１６、請求項１７、請求項１８または請求項１９に記載のサービス情報管理システム。
【請求項２１】
前記情報提供者情報記録手段は、前記サービス提供者情報記録手段とは異なる
請求項１４、請求項１５、請求項１６、請求項１７、請求項１８、請求項１９または請求項２０に記載のサービス情報管理システム。
【請求項２２】
前記サービス提供者情報は、前記サービスの提供先である前記情報提供者の情報を有する
請求項１４、請求項１５、請求項１６、請求項１７、請求項１８、請求項１９、請求項２０または請求項２１に記載のサービス情報管理システム。
【請求項２３】
前記サービス提供者情報記録手段に前記第１の情報若しくは前記付属物の情報が記録されると、前記サービス提供者情報記録手段に記録された前記情報提供者の情報に基づいて、前記情報提供者の端末に前記第１の情報若しくは前記付属物の情報が記録された旨を通知すべく構成されている
請求項２２に記載のサービス情報管理システム。
【請求項２４】
前記サービス提供者情報の少なくとも一部、若しくは、前記情報提供者情報の少なくとも一部、若しくは、前記サービス提供者情報の少なくとも一部及び前記情報提供者情報の少なくとも一部、の情報に基づいて、人工知能により所定の情報をＡＩ情報として記録するＡＩ情報記録手段を備える
請求項１４、請求項１５、請求項１６、請求項１７、請求項１８、請求項１９、請求項２０、請求項２１、請求項２２または請求項２３に記載のサービス情報管理システム。
【請求項２５】
前記サービス提供者情報記録手段に記録されたサービス提供者情報の少なくとも一部、若しくは、前記情報提供者情報記録手段に記録された情報提供者情報の少なくとも一部、若しくは、前記サービス提供者情報記録手段に記録されたサービス提供者情報の少なくとも一部及び前記情報提供者情報記録手段に記録された情報提供者情報の少なくとも一部、の情報に基づいて、人工知能により所定の情報をＡＩ情報として出力するＡＩ情報出力手段を備える
請求項１４、請求項１５、請求項１６、請求項１７、請求項１８、請求項１９、請求項２０、請求項２１、請求項２２または請求項２３に記載のサービス情報管理システム。
【請求項２６】
前記情報提供者情報記録手段に記録された前記情報提供者情報のうち、前記サービス提供者が選択した情報提供者情報である選択情報、若しくは、同選択情報にアクセス可能な識別子の情報を出力する選択情報出力手段と、
前記選択情報出力手段が情報を出力することによって、前記情報提供者情報が利用された前記情報提供者に対して、ポイントを付与するポイント付与手段と、を備える
請求項１４、請求項１５、請求項１６、請求項１７、請求項１８、請求項１９、請求項２０、請求項２１、請求項２２、請求項２３、請求項２４または請求項２５に記載のサービス情報管理システム。
【発明の詳細な説明】
【技術分野】
【０００１】
本発明は、商品情報管理システム及びサービス情報管理システムに関する。詳しくは、消費者が安心して商品選択やサービス選択をすることが可能となる商品情報管理システム及びサービス情報管理システムに係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質や、各種サービスの品質は、その商品やサービスが消費者に提供されるまでの過程における様々な要因に強く影響を受けるものである。
【０００８】
そのため、食品の原料粉末見本は、食品の品質についての情報を得ることができる要因ではあるものの、たった１つの要因に過ぎず、原料粉末見本を食品に添付して食品を提供するといった特許文献１に記載の技術のみでは、消費者が安心して商品やサービスを選択するといった目的を実現するのに充分ではない場合がある。
【０００９】
本発明は、以上の点に鑑みて創案されたものであって、より一層充分に消費者が安心して商品やサービスを選択することが可能となる商品情報管理システム及びサービス情報管理システムを提供することを目的とするものである。
【課題を解決するための手段】
【００１０】
上記の目的を達成するために、本発明の商品情報管理システムは、商品提供者の端末から送信された情報を、商品提供者情報として記録する商品提供者情報記録手段と、前記商品提供者とは異なる情報提供者の端末から送信された情報を、情報提供者情報として記録する情報提供者情報記録手段と、を備え、前記商品提供者情報は、前記商品提供者が提供する所定の商品の情報と、前記商品の品質理解のための第１の情報を有し、前記情報提供者情報は、前記商品提供者から提供された前記商品の情報と、前記商品提供者から提供された前記商品の品質理解のための第２の情報であって、前記第１の情報と同一内容であるべき前記第２の情報と、前記商品と同種同類の商品である参考商品、若しくは、前記商品と比較可能な状態で提供される商品である参考商品の情報と、前記参考商品の品質理解のための第４の情報を有する、商品情報管理システムであって、前記情報提供者情報記録手段は、前記情報提供者情報を前記商品提供者情報と対応させて記録すると共に、前記第２の情報は、前記第１の情報に対応する情報を含む。
【００１１】
また、上記の目的を達成するために、本発明の商品情報管理システムは、商品提供者の端末から送信された情報を、商品提供者情報として記録する商品提供者情報記録手段と、前記商品提供者とは異なる情報提供者の端末から送信された情報を、情報提供者情報として記録する情報提供者情報記録手段と、を備え、前記商品提供者情報は、前記商品提供者が提供する所定の商品の情報と、前記商品の品質理解のための第１の情報と、前記商品と同種同類の商品である参考商品、若しくは、前記商品と比較可能な状態で提供される商品である参考商品の情報と、前記参考商品の品質理解のための第３の情報を有し、前記情報提供者情報は、前記商品提供者から提供された前記商品の情報と、前記商品提供者から提供された前記商品の品質理解のための第２の情報であって、前記第１の情報と同一内容であるべき前記第２の情報と、前記参考商品の情報と、前記参考商品の品質理解のための第４の情報であって、前記第３の情報と同一内容であるべき前記第４の情報を有する、商品情報管理システムであって、前記情報提供者情報記録手段は、前記情報提供者情報を前記商品提供者情報と対応させて記録すると共に、前記第２の情報は、前記第１の情報に対応する情報を含む。
【００１２】
また、上記の目的を達成するために、本発明の商品情報管理システムは、商品提供者の端末から送信された情報を、商品提供者情報として記録する商品提供者情報記録手段と、前記商品提供者とは異なる情報提供者の端末から送信された情報を、情報提供者情報として記録する情報提供者情報記録手段と、を備え、前記商品提供者情報は、前記商品提供者が提供する所定の商品の情報と、前記商品の品質理解のための第１の情報と、前記商品と同種同類の商品である参考商品、若しくは、前記商品と比較可能な状態で提供される商品である参考商品の情報と、前記参考商品の品質理解のための第３の情報を有し、前記情報提供者情報は、前記商品提供者から提供された前記商品の情報と、前記商品提供者から提供された前記商品の品質理解のための第２の情報であって、前記第１の情報と同一内容であるべき前記第２の情報を有する、商品情報管理システムであって、前記情報提供者情報記録手段は、前記情報提供者情報を前記商品提供者情報と対応させて記録すると共に、前記第２の情報は、前記第１の情報に対応する情報を含む。
【００１３】
ここで、商品提供者情報として、所定の商品の情報が商品提供者情報記録手段に記録されることによって、商品提供者が情報提供者に提供した所定の商品を特定することができる。
【００１４】
また、情報提供者情報として、商品提供者から提供された商品の情報が情報提供者情報記録手段に記録されることによって、情報提供者が商品提供者から提供された所定の商品を特定することができる。
【００１５】
そして、商品提供者情報と情報提供者情報は対応させて記録されており、所定の商品の特定を、提供する側（商品提供者）と提供される側（情報提供者）の双方の情報に基づいて行うことによって、情報の改竄や偽造等を抑止することができる。
即ち、同一内容であるべき情報（所定の商品の情報）について、それを提供する側（商品提供者）と提供される側（情報提供者）の双方から記録することによって、情報の改竄や偽造等を抑止することができる。
【００１６】
また、商品提供者情報として、第１の情報が商品提供者情報記録手段に記録されることによって、商品提供者が提供した所定の商品の品質を特定することができる。
【００１７】
更に、情報提供者情報として、第２の情報が情報提供者情報記録手段に記録されることによって、商品提供者から提供された所定の商品の品質を特定することができる。
【００１８】
そして、商品提供者情報と情報提供者情報は対応させて記録されており、所定の商品の品質の特定を、提供する側（商品提供者）と提供される側（情報提供者）の双方の情報に基づいて行うことによって、情報の改竄や偽造等を抑止することができる。
即ち、同一内容であるべき情報（所定の商品の品質の情報）について、それを提供する側（商品提供者）と提供される側（情報提供者）の双方から記録することによって、情報の改竄や偽造等を抑止することができる。そして、情報の改竄や偽造等の抑止が実現できることから、情報提供者が提供する第２の情報は、商品提供者が提供する所定の商品の品質を保証するといった役割をも果たすこととなる。
【００１９】
また、商品提供者情報として、参考商品の情報や第３の情報が商品提供者情報記録手段に記録される場合には、所定の商品や所定の商品の品質を、参考商品や第３の情報との比較において特定することができ、より一層充分に所定の商品や所定の商品の品質を特定することができる。
【００２０】
同様に、情報提供者情報として、参考商品の情報や第４の情報が情報提供者情報記録手段に記録される場合には、所定の商品や所定の商品の品質を、参考商品や第４の情報との比較において特定することができ、より一層充分に所定の商品や所定の商品の品質を特定することができる。
【００２１】
更に、商品提供者情報として、参考商品の情報や第３の情報が商品提供者情報記録手段に記録され、情報提供者情報として、参考商品の情報や第４の情報が情報提供者情報記録手段に記録される場合には、商品提供者情報と情報提供者情報は対応させて記録されており、参考商品の特定や、参考商品の品質の特定を、商品提供者と情報提供者の双方の情報に基づいて行うことによって、情報の改竄や偽造等を抑止することができる。
即ち、同一内容であるべき情報（参考商品の情報、参考商品の品質の情報）について、商品提供者と情報提供者の双方から記録することによって、情報の改竄や偽造等を抑止することができる。
【００２２】
また、情報提供者が、商品提供者が提供する商品の生産地、生産場所、製造場所、保管場所、輸送手段、販売場所、若しくは、取締場所の少なくとも１つに立ち入って情報収集を行う場合には、第２の情報は第１の情報に対応する情報を含んでおり、換言すると、第２の情報は第１の情報に対応しない情報が存在することもあり得る点を考慮すると、情報提供者からは商品提供者と同等、若しくは、それ以上の品質の情報が提供されることを期待できる。
【００２３】
同様に、情報提供者が、カメラを通じて、商品提供者が提供する商品の生産地、生産場所、製造場所、保管場所、輸送手段、販売場所、若しくは、取締場所の少なくとも１つの情報収集を行う場合にも、情報提供者からは商品提供者と同等、若しくは、それ以上の品質の情報が提供されることを期待できる。
なお、カメラは常時接続が好ましいものの、これに限るものではない。更に、カメラが撮像する画像は、静止画像及び動画像のいずれをも含むものである。
【００２４】
更に、生産地等への立ち入りが可能な情報提供者による情報の提供によって、商品提供者が積極的に提供しなかった情報が開示されることも期待でき、積極的な情報公開、商品の品質のより一層の見える化が実現することになる。
【００２５】
同様に、カメラを通じて、生産地等の情報収集が可能な情報提供者による情報の提供によって、商品提供者が積極的に提供しなかった情報が開示されることも期待でき、積極的な情報公開、商品の品質のより一層の見える化が実現することになる。
【００２６】
また、商品提供者情報記録手段と情報提供者情報記録手段が異なる場合には、より一層充分に情報の改竄や偽造等を抑止することができる。
【００２７】
また、商品提供者情報の少なくとも一部、若しくは、情報提供者情報の少なくとも一部、若しくは、商品提供者情報の少なくとも一部及び情報提供者情報の少なくとも一部、の情報に基づいて、人工知能により所定の情報をＡＩ情報として記録するＡＩ情報記録手段を備える場合には、商品提供者の端末から送信された情報や、情報提供者の端末から送信された情報に加えて、人工知能によるＡＩ情報をも記録することができる。
なお、ＡＩ情報記録手段にアクセスした消費者は、ＡＩ情報を得ることができる。
【００２８】
更に、商品提供者情報記録手段に記録された商品提供者情報の少なくとも一部、若しくは、情報提供者情報記録手段に記録された情報提供者情報の少なくとも一部、若しくは、商品提供者情報記録手段に記録された商品提供者情報の少なくとも一部及び情報提供者情報記録手段に記録された情報提供者情報の少なくとも一部、の情報に基づいて、人工知能により所定の情報をＡＩ情報として出力するＡＩ情報出力手段を備える場合には、消費者に対して、人工知能によるＡＩ情報を提供することができる。
【００２９】
また、選択情報出力手段が、選択情報、若しくは、選択情報にアクセス可能な識別子の情報を出力する場合には、消費者は情報提供者が商品提供者から提供された商品や、商品の品質を把握することができる。
【００３０】
更に、ポイント付与手段が、情報提供者情報が利用された情報提供者に対してポイントを付与する場合には、情報提供者情報が利用されたいという情報提供者のインセンティブを高めることができる。そして、こうしたインセンティブの高まりに伴って、情報提供者情報の高品質化も期待できる。
【００３１】
また、ポイントが付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報の高品質化が期待できる。なお、商品提供者が選択する情報提供者情報は、単数であっても複数であっても良い。
【００３２】
また、上記の目的を達成するために、本発明の商品情報管理システムは、商品提供者の端末から送信された情報を、商品提供者情報として記録する商品提供者情報記録手段と、前記商品提供者とは異なる情報提供者の端末から送信された情報を、情報提供者情報として記録する情報提供者情報記録手段と、を備え、前記商品提供者情報は、前記商品提供者が提供する所定の商品の情報と、前記商品と共に提供され、前記商品の品質理解のための付属物の情報を有し、前記情報提供者情報は、前記商品提供者から提供された前記商品の情報と、前記商品提供者から提供された前記商品の品質理解のための第２の情報であって、前記付属物の情報と同一内容であるべき前記第２の情報と、前記商品と同種同類の商品である参考商品、若しくは、前記商品と比較可能な状態で提供される商品である参考商品の情報と、前記参考商品の品質理解のための第４の情報を有する、商品情報管理システムであって、前記情報提供者情報記録手段は、前記情報提供者情報を前記商品提供者情報と対応させて記録すると共に、前記第２の情報は、前記付属物の情報を含む。
【００３３】
また、上記の目的を達成するために、本発明の商品情報管理システムは、商品提供者の端末から送信された情報を、商品提供者情報として記録する商品提供者情報記録手段と、前記商品提供者とは異なる情報提供者の端末から送信された情報を、情報提供者情報として記録する情報提供者情報記録手段と、を備え、前記商品提供者情報は、前記商品提供者が提供する所定の商品の情報と、前記商品と共に提供され、前記商品の品質理解のための付属物の情報と、前記商品と同種同類の商品である参考商品、若しくは、前記商品と比較可能な状態で提供される商品である参考商品の情報と、前記参考商品の品質理解のための第３の情報を有し、前記情報提供者情報は、前記商品提供者から提供された前記商品の情報と、前記商品提供者から提供された前記商品の品質理解のための第２の情報であって、前記付属物の情報と同一内容であるべき前記第２の情報と、前記参考商品の情報と、前記参考商品の品質理解のための第４の情報であって、前記第３の情報と同一内容であるべき前記第４の情報を有する、商品情報管理システムであって、前記情報提供者情報記録手段は、前記情報提供者情報を前記商品提供者情報と対応させて記録すると共に、前記第２の情報は、前記付属物の情報を含む。
【００３４】
また、上記の目的を達成するために、本発明の商品情報管理システムは、商品提供者の端末から送信された情報を、商品提供者情報として記録する商品提供者情報記録手段と、前記商品提供者とは異なる情報提供者の端末から送信された情報を、情報提供者情報として記録する情報提供者情報記録手段と、を備え、前記商品提供者情報は、前記商品提供者が提供する所定の商品の情報と、前記商品と共に提供され、前記商品の品質理解のための付属物の情報と、前記商品と同種同類の商品である参考商品、若しくは、前記商品と比較可能な状態で提供される商品である参考商品の情報と、前記参考商品の品質理解のための第３の情報を有し、前記情報提供者情報は、前記商品提供者から提供された前記商品の情報と、前記商品提供者から提供された前記商品の品質理解のための第２の情報であって、前記付属物の情報と同一内容であるべき前記第２の情報を有する、商品情報管理システムであって、前記情報提供者情報記録手段は、前記情報提供者情報を前記商品提供者情報と対応させて記録すると共に、前記第２の情報は、前記付属物の情報を含む。
【００３５】
ここで、商品提供者情報として、所定の商品の情報が商品提供者情報記録手段に記録されることによって、商品提供者が情報提供者に提供した所定の商品を特定することができる。
【００３６】
また、情報提供者情報として、商品提供者から提供された商品の情報が情報提供者情報記録手段に記録されることによって、情報提供者が商品提供者から提供された所定の商品を特定することができる。
【００３７】
そして、商品提供者情報と情報提供者情報は対応させて記録されており、所定の商品の特定を、提供する側（商品提供者）と提供される側（情報提供者）の双方の情報に基づいて行うことによって、情報の改竄や偽造等を抑止することができる。
即ち、同一内容であるべき情報（所定の商品の情報）について、それを提供する側（商品提供者）と提供される側（情報提供者）の双方から記録することによって、情報の改竄や偽造等を抑止することができる。
【００３８】
また、商品提供者情報として、付属物の情報が商品提供者情報記録手段に記録されることによって、商品提供者が提供した付属物を特定することができる。
【００３９】
更に、情報提供者情報として、第２の情報（付属物の情報を含む情報）が情報提供者情報記録手段に記録されることによって、商品提供者から提供された付属物を特定することができる。
【００４０】
そして、商品提供者情報と情報提供者情報は対応させて記録されており、付属物の特定を、提供する側（商品提供者）と提供される側（情報提供者）の双方の情報に基づいて行うことによって、情報の改竄や偽造等を抑止することができる。
即ち、同一内容であるべき情報（付属物の情報）について、それを提供する側（商品提供者）と提供される側（情報提供者）の双方から記録することによって、情報の改竄や偽造等を抑止することができる。そして、情報の改竄や偽造等の抑止が実現できることから、情報提供者が提供する第２の情報は、商品提供者が提供する所定の商品の品質を保証するといった役割をも果たすこととなる。
【００４１】
また、商品提供者情報として、参考商品の情報や第３の情報が商品提供者情報記録手段に記録される場合には、所定の商品や所定の商品の品質を、参考商品や第３の情報との比較において特定することができ、より一層充分に所定の商品や所定の商品の品質を特定することができる。
【００４２】
同様に、情報提供者情報として、参考商品の情報や第４の情報が情報提供者情報記録手段に記録される場合には、所定の商品や所定の商品の品質を、参考商品や第４の情報との比較において特定することができ、より一層充分に所定の商品や所定の商品の品質を特定することができる。
【００４３】
更に、商品提供者情報として、参考商品の情報や第３の情報が商品提供者情報記録手段に記録され、情報提供者情報として、参考商品の情報や第４の情報が情報提供者情報記録手段に記録される場合には、商品提供者情報と情報提供者情報は対応させて記録されており、参考商品の特定や、参考商品の品質の特定を、商品提供者と情報提供者の双方の情報に基づいて行うことによって、情報の改竄や偽造等を抑止することができる。
即ち、同一内容であるべき情報（参考商品の情報、参考商品の品質の情報）について、商品提供者と情報提供者の双方から記録することによって、情報の改竄や偽造等を抑止することができる。
【００４４】
また、情報提供者が、商品提供者が提供する商品の生産地、生産場所、製造場所、保管場所、輸送手段、販売場所、若しくは、取締場所の少なくとも１つに立ち入って情報収集を行う場合には、第２の情報は付属物の情報を含んでおり、換言すると、第２の情報は付属物の情報に対応しない情報が存在することもあり得る点を考慮すると、情報提供者からは商品提供者と同等、若しくは、それ以上の品質の情報が提供されることを期待できる。
【００４５】
同様に、情報提供者が、カメラを通じて、商品提供者が提供する商品の生産地、生産場所、製造場所、保管場所、輸送手段、販売場所、若しくは、取締場所の少なくとも１つの情報収集を行う場合にも、情報提供者からは商品提供者と同等、若しくは、それ以上の品質の情報が提供されることを期待できる。
なお、カメラは常時接続が好ましいものの、これに限るものではない。更に、カメラが撮像する画像は、静止画像及び動画像のいずれをも含むものである。
【００４６】
更に、生産地等への立ち入りが可能な情報提供者による情報の提供によって、商品提供者が積極的に提供しなかった情報が開示されることも期待でき、積極的な情報公開、商品の品質のより一層の見える化が実現することになる。
【００４７】
同様に、カメラを通じて、生産地等の情報収集が可能な情報提供者による情報の提供によって、商品提供者が積極的に提供しなかった情報が開示されることも期待でき、積極的な情報公開、商品の品質のより一層の見える化が実現することになる。
【００４８】
また、商品提供者情報記録手段と情報提供者情報記録手段が異なる場合には、より一層充分に情報の改竄や偽造等を抑止することができる。
【００４９】
また、商品提供者情報の少なくとも一部、若しくは、情報提供者情報の少なくとも一部、若しくは、商品提供者情報の少なくとも一部及び情報提供者情報の少なくとも一部、の情報に基づいて、人工知能により所定の情報をＡＩ情報として記録するＡＩ情報記録手段を備える場合には、商品提供者の端末から送信された情報や、情報提供者の端末から送信された情報に加えて、人工知能によるＡＩ情報をも記録することができる。
なお、ＡＩ情報記録手段にアクセスした消費者は、ＡＩ情報を得ることができる。
【００５０】
更に、商品提供者情報記録手段に記録された商品提供者情報の少なくとも一部、若しくは、情報提供者情報記録手段に記録された情報提供者情報の少なくとも一部、若しくは、商品提供者情報記録手段に記録された商品提供者情報の少なくとも一部及び情報提供者情報記録手段に記録された情報提供者情報の少なくとも一部、の情報に基づいて、人工知能により所定の情報をＡＩ情報として出力するＡＩ情報出力手段を備える場合には、消費者に対して、人工知能によるＡＩ情報を提供することができる。
【００５１】
また、選択情報出力手段が、選択情報、若しくは、選択情報にアクセス可能な識別子の情報を出力する場合には、消費者は情報提供者が商品提供者から提供された商品や、商品の品質を把握することができる。
【００５２】
更に、ポイント付与手段が、情報提供者情報が利用された情報提供者に対してポイントを付与する場合には、情報提供者情報が利用されたいという情報提供者のインセンティブを高めることができる。そして、こうしたインセンティブの高まりに伴って、情報提供者情報の高品質化も期待できる。
【００５３】
また、ポイントが付与される対象は、商品提供者が選択した情報提供者情報であるために、換言すると、商品提供者に選択された情報提供者情報のみが利用されるために、情報提供者情報が利用されたい情報提供者同士での競争が生まれ、より一層、情報提供者情報の高品質化が期待できる。なお、商品提供者が選択する情報提供者情報は、単数であっても複数であっても良い。
【００５４】
また、上記の目的を達成するために、本発明のサービス情報管理システムは、サービス提供者の端末から送信された情報を、サービス提供者情報として記録するサービス提供者情報記録手段と、前記サービス提供者とは異なる情報提供者の端末から送信された情報を、情報提供者情報として記録する情報提供者情報記録手段と、を備え、前記サービス提供者情報は、前記サービス提供者が提供する所定のサービスの情報と、前記サービスの品質理解のための第１の情報を有し、前記情報提供者情報は、前記サービス提供者から提供された前記サービスの情報と、前記サービス提供者から提供された前記サービスの品質理解のための第２の情報であって、前記第１の情報と同一内容であるべき前記第２の情報と、前記サービスと同種同類のサービスである参考サービスの情報と、前記参考サービスの品質理解のための第４の情報を有する、サービス情報管理システムであって、前記情報提供者情報記録手段は、前記情報提供者情報を前記サービス提供者情報と対応させて記録すると共に、前記第２の情報は、前記第１の情報に対応する情報を含む。
【００５５】
また、上記の目的を達成するために、本発明のサービス情報管理システムは、サービス提供者の端末から送信された情報を、サービス提供者情報として記録するサービス提供者情報記録手段と、前記サービス提供者とは異なる情報提供者の端末から送信された情報を、情報提供者情報として記録する情報提供者情報記録手段と、を備え、前記サービス提供者情報は、前記サービス提供者が提供する所定のサービスの情報と、前記サービスの品質理解のための第１の情報と、前記サービスと同種同類のサービスである参考サービスの情報と、前記参考サービスの品質理解のための第３の情報を有し、前記情報提供者情報は、前記サービス提供者から提供された前記サービスの情報と、前記サービス提供者から提供された前記サービスの品質理解のための第２の情報であって、前記第１の情報と同一内容であるべき前記第２の情報と、前記参考サービスの情報と、前記参考サービスの品質理解のための第４の情報であって、前記第３の情報と同一内容であるべき前記第４の情報を有する、サービス情報管理システムであって、前記情報提供者情報記録手段は、前記情報提供者情報を前記サービス提供者情報と対応させて記録すると共に、前記第２の情報は、前記第１の情報に対応する情報を含む。
【００５６】
また、上記の目的を達成するために、本発明のサービス情報管理システムは、サービス提供者の端末から送信された情報を、サービス提供者情報として記録するサービス提供者情報記録手段と、前記サービス提供者とは異なる情報提供者の端末から送信された情報を、情報提供者情報として記録する情報提供者情報記録手段と、を備え、前記サービス提供者情報は、前記サービス提供者が提供する所定のサービスの情報と、前記サービスの品質理解のための第１の情報と、前記サービスと同種同類のサービスである参考サービスの情報と、前記参考サービスの品質理解のための第３の情報を有し、前記情報提供者情報は、前記サービス提供者から提供された前記サービスの情報と、前記サービス提供者から提供された前記サービスの品質理解のための第２の情報であって、前記第１の情報と同一内容であるべき前記第２の情報を有する、サービス情報管理システムであって、前記情報提供者情報記録手段は、前記情報提供者情報を前記サービス提供者情報と対応させて記録すると共に、前記第２の情報は、前記第１の情報に対応する情報を含む。
【００５７】
ここで、サービス提供者情報として、所定のサービスの情報がサービス提供者情報記録手段に記録されることによって、サービス提供者が情報提供者に提供した所定のサービスを特定することができる。
【００５８】
また、情報提供者情報として、サービス提供者から提供されたサービスの情報が情報提供者情報記録手段に記録されることによって、情報提供者がサービス提供者から提供された所定のサービスを特定することができる。
【００５９】
そして、サービス提供者情報と情報提供者情報は対応させて記録されており、所定のサービスの特定を、提供する側（サービス提供者）と提供される側（情報提供者）の双方の情報に基づいて行うことによって、情報の改竄や偽造等を抑止することができる。
即ち、同一内容であるべき情報（所定のサービスの情報）について、それを提供する側（サービス提供者）と提供される側（情報提供者）の双方から記録することによって、情報の改竄や偽造等を抑止することができる。
【００６０】
また、サービス提供者情報として、第１の情報がサービス提供者情報記録手段に記録されることによって、サービス提供者が提供した所定のサービスの品質を特定することができる。
【００６１】
更に、情報提供者情報として、第２の情報が情報提供者情報記録手段に記録されることによって、サービス提供者から提供された所定のサービスの品質を特定することができる。
【００６２】
そして、サービス提供者情報と情報提供者情報は対応させて記録されており、所定のサービスの品質の特定を、提供する側（サービス提供者）と提供される側（情報提供者）の双方の情報に基づいて行うことによって、情報の改竄や偽造等を抑止することができる。
即ち、同一内容であるべき情報（所定のサービスの品質の情報）について、それを提供する側（サービス提供者）と提供される側（情報提供者）の双方から記録することによって、情報の改竄や偽造等を抑止することができる。そして、情報の改竄や偽造等の抑止が実現できることから、情報提供者が提供する第２の情報は、サービス提供者が提供する所定のサービスの品質を保証するといった役割をも果たすこととなる。
【００６３】
また、サービス提供者情報として、参考サービスの情報や第３の情報がサービス提供者情報記録手段に記録される場合には、所定のサービスや所定のサービスの品質を、参考サービスや第３の情報との比較において特定することができ、より一層充分に所定のサービスや所定のサービスの品質を特定することができる。
【００６４】
同様に、情報提供者情報として、参考サービスの情報や第４の情報が情報提供者情報記録手段に記録される場合には、所定のサービスや所定のサービスの品質を、参考サービスや第４の情報との比較において特定することができ、より一層充分に所定のサービスや所定のサービスの品質を特定することができる。
【００６５】
更に、サービス提供者情報として、参考サービスの情報や第３の情報がサービス提供者情報記録手段に記録され、情報提供者情報として、参考サービスの情報や第４の情報が情報提供者情報記録手段に記録される場合には、サービス提供者情報と情報提供者情報は対応させて記録されており、参考サービスの特定や、参考サービスの品質の特定を、サービス提供者と情報提供者の双方の情報に基づいて行うことによって、情報の改竄や偽造等を抑止することができる。
即ち、同一内容であるべき情報（参考サービスの情報、参考サービスの品質の情報）について、サービス提供者と情報提供者の双方から記録することによって、情報の改竄や偽造等を抑止することができる。
【００６６】
また、情報提供者が、サービス提供者が提供するサービスの提供場所、サービス提供者が提供するサービスに用いる物の生産地、サービス提供者が提供するサービスに用いる物の生産場所、サービス提供者が提供するサービスに用いる物の製造場所、サービス提供者が提供するサービスに用いる物の保管場所、サービス提供者が提供するサービスに用いる物の輸送手段、サービス提供者が提供するサービスに用いる物の販売場所、若しくは、サービス提供者が提供するサービスに用いる物の取締場所の少なくとも１つに立ち入って情報収集を行う場合には、第２の情報は第１の情報に対応する情報を含んでおり、換言すると、第２の情報は第１の情報に対応しない情報が存在することもあり得る点を考慮すると、情報提供者からはサービス提供者と同等、若しくは、それ以上の品質の情報が提供されることを期待できる。
【００６７】
同様に、情報提供者が、カメラを通じて、サービス提供者が提供するサービスの提供場所、サービス提供者が提供するサービスに用いる物の生産地、サービス提供者が提供するサービスに用いる物の生産場所、サービス提供者が提供するサービスに用いる物の製造場所、サービス提供者が提供するサービスに用いる物の保管場所、サービス提供者が提供するサービスに用いる物の輸送手段、サービス提供者が提供するサービスに用いる物の販売場所、若しくは、サービス提供者が提供するサービスに用いる物の取締場所の少なくとも１つの情報収集を行う場合にも、情報提供者からはサービス提供者と同等、若しくは、それ以上の品質の情報が提供されることを期待できる。
なお、カメラは常時接続が好ましいものの、これに限るものではない。更に、カメラが撮像する画像は、静止画像及び動画像のいずれをも含むものである。
【００６８】
更に、サービス提供者が提供するサービスの提供場所等への立ち入りが可能な情報提供者による情報の提供によって、サービス提供者が積極的に提供しなかった情報が開示されることも期待でき、積極的な情報公開、サービスの品質のより一層の見える化が実現することになる。
【００６９】
同様に、カメラを通じて、サービス提供者が提供するサービスの提供場所等の情報収集が可能な情報提供者による情報の提供によって、サービス提供者が積極的に提供しなかった情報が開示されることも期待でき、積極的な情報公開、サービスの品質のより一層の見える化が実現することになる。
【００７０】
また、サービス提供者情報記録手段と情報提供者情報記録手段が異なる場合には、より一層充分に情報の改竄や偽造等を抑止することができる。
【００７１】
また、サービス提供者情報の少なくとも一部、若しくは、情報提供者情報の少なくとも一部、若しくは、サービス提供者情報の少なくとも一部及び情報提供者情報の少なくとも一部、の情報に基づいて、人工知能により所定の情報をＡＩ情報として記録するＡＩ情報記録手段を備える場合には、サービス提供者の端末から送信された情報や、情報提供者の端末から送信された情報に加えて、人工知能によるＡＩ情報をも記録することができる。
なお、ＡＩ情報記録手段にアクセスした消費者は、ＡＩ情報を得ることができる。
【００７２】
更に、サービス提供者情報記録手段に記録されたサービス提供者情報の少なくとも一部、若しくは、情報提供者情報記録手段に記録された情報提供者情報の少なくとも一部、若しくは、サービス提供者情報記録手段に記録されたサービス提供者情報の少なくとも一部及び情報提供者情報記録手段に記録された情報提供者情報の少なくとも一部、の情報に基づいて、人工知能により所定の情報をＡＩ情報として出力するＡＩ情報出力手段を備える場合には、消費者に対して、人工知能によるＡＩ情報を提供することができる。
【００７３】
また、選択情報出力手段が、選択情報、若しくは、選択情報にアクセス可能な識別子の情報を出力する場合には、消費者は情報提供者がサービス提供者から提供されたサービスや、サービスの品質を把握することができる。
【００７４】
更に、ポイント付与手段が、情報提供者情報が利用された情報提供者に対してポイントを付与する場合には、情報提供者情報が利用されたいという情報提供者のインセンティブを高めることができる。そして、こうしたインセンティブの高まりに伴って、情報提供者情報の高品質化も期待できる。
【００７５】
また、ポイントが付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報の高品質化が期待できる。なお、サービス提供者が選択する情報提供者情報は、単数であっても複数であっても良い。
【００７６】
また、上記の目的を達成するために、本発明のサービス情報管理システムは、サービス提供者の端末から送信された情報を、サービス提供者情報として記録するサービス提供者情報記録手段と、前記サービス提供者とは異なる情報提供者の端末から送信された情報を、情報提供者情報として記録する情報提供者情報記録手段と、を備え、前記サービス提供者情報は、前記サービス提供者が提供する所定のサービスの情報と、前記サービスと共に提供され、前記サービスの品質理解のための付属物の情報を有し、前記情報提供者情報は、前記サービス提供者から提供された前記サービスの情報と、前記サービス提供者から提供された前記サービスの品質理解のための第２の情報であって、前記付属物の情報と同一内容であるべき前記第２の情報と、前記サービスと同種同類のサービスである参考サービスの情報と、前記参考サービスの品質理解のための第４の情報を有する、サービス情報管理システムであって、前記情報提供者情報記録手段は、前記情報提供者情報を前記サービス提供者情報と対応させて記録すると共に、前記第２の情報は、前記付属物の情報を含む。
【００７７】
また、上記の目的を達成するために、本発明のサービス情報管理システムは、サービス提供者の端末から送信された情報を、サービス提供者情報として記録するサービス提供者情報記録手段と、前記サービス提供者とは異なる情報提供者の端末から送信された情報を、情報提供者情報として記録する情報提供者情報記録手段と、を備え、前記サービス提供者情報は、前記サービス提供者が提供する所定のサービスの情報と、前記サービスと共に提供され、前記サービスの品質理解のための付属物の情報と、前記サービスと同種同類のサービスである参考サービスの情報と、前記参考サービスの品質理解のための第３の情報を有し、前記情報提供者情報は、前記サービス提供者から提供された前記サービスの情報と、前記サービス提供者から提供された前記サービスの品質理解のための第２の情報であって、前記付属物の情報と同一内容であるべき前記第２の情報と、前記参考サービスの情報と、前記参考サービスの品質理解のための第４の情報であって、前記第３の情報と同一内容であるべき前記第４の情報を有する、サービス情報管理システムであって、前記情報提供者情報記録手段は、前記情報提供者情報を前記サービス提供者情報と対応させて記録すると共に、前記第２の情報は、前記付属物の情報を含む。
【００７８】
また、上記の目的を達成するために、本発明のサービス情報管理システムは、サービス提供者の端末から送信された情報を、サービス提供者情報として記録するサービス提供者情報記録手段と、前記サービス提供者とは異なる情報提供者の端末から送信された情報を、情報提供者情報として記録する情報提供者情報記録手段と、を備え、前記サービス提供者情報は、前記サービス提供者が提供する所定のサービスの情報と、前記サービスと共に提供され、前記サービスの品質理解のための付属物の情報と、前記サービスと同種同類のサービスである参考サービスの情報と、前記参考サービスの品質理解のための第３の情報を有し、前記情報提供者情報は、前記サービス提供者から提供された前記サービスの情報と、前記サービス提供者から提供された前記サービスの品質理解のための第２の情報であって、前記付属物の情報と同一内容であるべき第２の情報を有する、サービス情報管理システムであって、前記情報提供者情報記録手段は、前記情報提供者情報を前記サービス提供者情報と対応させて記録すると共に、前記第２の情報は、前記付属物の情報を含む。
【００７９】
ここで、サービス提供者情報として、所定のサービスの情報がサービス提供者情報記録手段に記録されることによって、サービス提供者が情報提供者に提供した所定のサービスを特定することができる。
【００８０】
また、情報提供者情報として、サービス提供者から提供されたサービスの情報が情報提供者情報記録手段に記録されることによって、情報提供者がサービス提供者から提供された所定のサービスを特定することができる。
【００８１】
そして、サービス提供者情報と情報提供者情報は対応させて記録されており、所定のサービスの特定を、提供する側（サービス提供者）と提供される側（情報提供者）の双方の情報に基づいて行うことによって、情報の改竄や偽造等を抑止することができる。
即ち、同一内容であるべき情報（所定のサービスの情報）について、それを提供する側（サービス提供者）と提供される側（情報提供者）の双方から記録することによって、情報の改竄や偽造等を抑止することができる。
【００８２】
また、サービス提供者情報として、付属物の情報がサービス提供者情報記録手段に記録されることによって、サービス提供者が提供した付属物を特定することができる。
【００８３】
更に、情報提供者情報として、第２の情報（付属物の情報を含む情報）が情報提供者情報記録手段に記録されることによって、サービス提供者から提供された付属物を特定することができる。
【００８４】
そして、サービス提供者情報と情報提供者情報は対応させて記録されており、所定のサービスの品質の特定を、提供する側（サービス提供者）と提供される側（情報提供者）の双方の情報に基づいて行うことによって、情報の改竄や偽造等を抑止することができる。
即ち、同一内容であるべき情報（付属物の情報）について、それを提供する側（サービス提供者）と提供される側（情報提供者）の双方から記録することによって、情報の改竄や偽造等を抑止することができる。そして、情報の改竄や偽造等の抑止が実現できることから、情報提供者が提供する第２の情報は、サービス提供者が提供する所定のサービスの品質を保証するといった役割をも果たすこととなる。
【００８５】
また、サービス提供者情報として、参考サービスの情報や第３の情報がサービス提供者情報記録手段に記録される場合には、所定のサービスや所定のサービスの品質を、参考サービスや第３の情報との比較において特定することができ、より一層充分に所定のサービスや所定のサービスの品質を特定することができる。
【００８６】
同様に、情報提供者情報として、参考サービスの情報や第４の情報が情報提供者情報記録手段に記録される場合には、所定のサービスや所定のサービスの品質を、参考サービスや第４の情報との比較において特定することができ、より一層充分に所定のサービスや所定のサービスの品質を特定することができる。
【００８７】
更に、サービス提供者情報として、参考サービスの情報や第３の情報がサービス提供者情報記録手段に記録され、情報提供者情報として、参考サービスの情報や第４の情報が情報提供者情報記録手段に記録される場合には、サービス提供者情報と情報提供者情報は対応させて記録されており、参考サービスの特定や、参考サービスの品質の特定を、サービス提供者と情報提供者の双方の情報に基づいて行うことによって、情報の改竄や偽造等を抑止することができる。
即ち、同一内容であるべき情報（参考サービスの情報、参考サービスの品質の情報）について、サービス提供者と情報提供者の双方から記録することによって、情報の改竄や偽造等を抑止することができる。
【００８８】
また、情報提供者が、サービス提供者が提供するサービスの提供場所、サービス提供者が提供するサービスに用いる物の生産地、サービス提供者が提供するサービスに用いる物の生産場所、サービス提供者が提供するサービスに用いる物の製造場所、サービス提供者が提供するサービスに用いる物の保管場所、サービス提供者が提供するサービスに用いる物の輸送手段、サービス提供者が提供するサービスに用いる物の販売場所、若しくは、サービス提供者が提供するサービスに用いる物の取締場所の少なくとも１つに立ち入って情報収集を行う場合には、第２の情報は付属物の情報を含んでおり、換言すると、第２の情報は付属物の情報に対応しない情報が存在することもあり得る点を考慮すると、情報提供者からはサービス提供者と同等、若しくは、それ以上の品質の情報が提供されることを期待できる。
【００８９】
同様に、情報提供者が、カメラを通じて、サービス提供者が提供するサービスの提供場所、サービス提供者が提供するサービスに用いる物の生産地、サービス提供者が提供するサービスに用いる物の生産場所、サービス提供者が提供するサービスに用いる物の製造場所、サービス提供者が提供するサービスに用いる物の保管場所、サービス提供者が提供するサービスに用いる物の輸送手段、サービス提供者が提供するサービスに用いる物の販売場所、若しくは、サービス提供者が提供するサービスに用いる物の取締場所の少なくとも１つの情報収集を行う場合にも、情報提供者からはサービス提供者と同等、若しくは、それ以上の品質の情報が提供されることを期待できる。
なお、カメラは常時接続が好ましいものの、これに限るものではない。更に、カメラが撮像する画像は、静止画像及び動画像のいずれをも含むものである。
【００９０】
更に、サービス提供者が提供するサービスの提供場所等への立ち入りが可能な情報提供者による情報の提供によって、サービス提供者が積極的に提供しなかった情報が開示されることも期待でき、積極的な情報公開、サービスの品質のより一層の見える化が実現することになる。
【００９１】
同様に、カメラを通じて、サービス提供者が提供するサービスの提供場所等の情報収集が可能な情報提供者による情報の提供によって、サービス提供者が積極的に提供しなかった情報が開示されることも期待でき、積極的な情報公開、サービスの品質のより一層の見える化が実現することになる。
また、サービス提供者情報記録手段と情報提供者情報記録手段が異なる場合には、より一層充分に情報の改竄や偽造等を抑止することができる。
【００９２】
また、サービス提供者情報の少なくとも一部、若しくは、情報提供者情報の少なくとも一部、若しくは、サービス提供者情報の少なくとも一部及び情報提供者情報の少なくとも一部、の情報に基づいて、人工知能により所定の情報をＡＩ情報として記録するＡＩ情報記録手段を備える場合には、サービス提供者の端末から送信された情報や、情報提供者の端末から送信された情報に加えて、人工知能によるＡＩ情報をも記録することができる。
なお、ＡＩ情報記録手段にアクセスした消費者は、ＡＩ情報を得ることができる。
【００９３】
更に、サービス提供者情報記録手段に記録されたサービス提供者情報の少なくとも一部、若しくは、情報提供者情報記録手段に記録された情報提供者情報の少なくとも一部、若しくは、サービス提供者情報記録手段に記録されたサービス提供者情報の少なくとも一部及び情報提供者情報記録手段に記録された情報提供者情報の少なくとも一部、の情報に基づいて、人工知能により所定の情報をＡＩ情報として出力するＡＩ情報出力手段を備える場合には、消費者に対して、人工知能によるＡＩ情報を提供することができる。
【００９４】
また、選択情報出力手段が、選択情報、若しくは、選択情報にアクセス可能な識別子の情報を出力する場合には、消費者は情報提供者がサービス提供者から提供されたサービスや、サービスの品質を把握することができる。
【００９５】
更に、ポイント付与手段が、情報提供者情報が利用された情報提供者に対してポイントを付与する場合には、情報提供者情報が利用されたいという情報提供者のインセンティブを高めることができる。そして、こうしたインセンティブの高まりに伴って、情報提供者情報の高品質化も期待できる。
【００９６】
また、ポイントが付与される対象は、サービス提供者が選択した情報提供者情報であるために、換言すると、サービス提供者に選択された情報提供者情報のみが利用されるために、情報提供者情報が利用されたい情報提供者同士での競争が生まれ、より一層、情報提供者情報の高品質化が期待できる。なお、サービス提供者が選択する情報提供者情報は、単数であっても複数であっても良い。
【００９７】
ところで、ここでの「所定の商品」や「参考商品」とは、その対象を限定するものではなく、有体物であっても、無体物であっても良い。例えば、食品、工業用製品及び部品、家電製品、携帯電話、自動車、ロボット、機械、器具等を含む。また、「所定の商品」や「参考商品」は、一次産品である場合と二次産品である場合の双方を含む。
【００９８】
また、ここでの「所定のサービス」や「参考サービス」とは、顧客のためになされる種々の奉仕や、他人のために尽力すること、を意味し、その内容を限定するものではなく、有償であるか無償であるかは問わない。
【００９９】
また、「同種同類の商品」や「同種同類のサービス」とは、商品同士やサービス同士が「商品として同一視できる」や「サービスとして同一視できる」といった関係を意味している。
【０１００】
また、ここでの「選択情報にアクセス可能な識別子」とは、例えば、通信回線を介して選択情報が掲載されたウェブサイトにアクセスすることができる二次元バーコードやカラーコード等の識別子を意味する。
【０１０１】
更に、ここでの「ポイント」とは、景品や商品と交換したり、値引きしたり、次回以降の購入代金の一部に充当したりすることができる点数を意味し、換金できる点数、換金できない点数、のいずれも含むものである。
【０１０２】
ここで、「所定の商品」や「参考商品」が食品（一次産品）である場合の付属物としては、例えば、以下が挙げられ、「商品の品質理解のための第１の情報」、「商品の品質理解のための第２の情報」、「参考商品の品質理解のための第３の情報」、「参考商品の品質理解のための第４の情報」としては、例えば、以下に示す付属物の情報が挙げられる。なお、「所定の商品」や「参考商品」が食品（一次産品）でない場合については、以下の付属物の説明中の「食品」を「商品」に読み替えるものとする。
【０１０３】
同様に、「所定のサービス」や「参考サービス」が食品（一次産品）の加工である場合の付属物としては、例えば、以下が挙げられ、「サービスの品質理解のための第１の情報」、「サービスの品質理解のための第２の情報」、「参考サービスの品質理解のための第３の情報」、「参考サービスの品質理解のための第４の情報」としては、例えば、以下に示す付属物の情報が挙げられる。なお、食品以外の商品（一次産品）の加工である場合の付属物については、以下の付属物の説明中の「食品」を「商品」に読み替えるものとする。
【０１０４】
［一次産品の付属物１］
所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１０５】
［一次産品の付属物２］
所定の食品の生産地における種まきや苗植え前の土壌、及び、所定の食品の生産地における収穫後の土壌。
【０１０６】
［一次産品の付属物３］
所定の食品の生産に関与した土壌、水、海水、海底水、アルカリ水、海底水から採取した塩、海藻の少なくとも１つである生産関与物本体と、生産関与物本体の採取地の情報である採取地情報とを有するもの。
【０１０７】
［一次産品の付属物４］
所定の食品の生産地で得られた草、及び、所定の食品の生産地で所定の食品と同時期に育った草。
【０１０８】
［一次産品の付属物５］
所定の食品の生産に関与した外国産の飼料である草、所定の食品の生産に関与した国内産の飼料である草、所定の食品の生産に関与した外国産の穀物飼料、所定の食品の生産に関与した国内産の穀物飼料の少なくとも１つ。
【０１０９】
［一次産品の付属物６］
所定の食品の生産に関与した飼料と略同一であり、穀物部分と、抗生物質及び成長ホルモン剤部分とが別個の状態に構成されたもの、及び、所定の食品の生産に関与した飼料と略同一であり、穀物部分と、抗生物質及び女性ホルモン剤部分とが別個の状態に構成されたもの。
【０１１０】
［一次産品の付属物７］
所定の食品と略同一条件で所定の食品とは別体で成長した代替食品。
なお、代替食品をカット（例えば、輪切り）したものも含む。また、代替食品が卵の場合には、殻を割った生卵も含む。
【０１１１】
［一次産品の付属物８］
所定の食品と略同一条件で所定の食品とは別体で成長した代替食品の粉末。
なお、代替食品の粉末は、イムノクロマト法を用いた検査キットとセットにしても良い。
【０１１２】
［一次産品の付属物９］
所定の食品と略同一条件で所定の食品とは別体で成長した代替食品の加工品。
【０１１３】
［一次産品の付属物１０］
所定の食品と略同一条件で所定の食品とは別体で成長した代替食品の粉末加工品。
【０１１４】
［一次産品の付属物１１］
所定の食品と略同一条件で所定の食品とは別体で成長した代替食品と一体に成長した代替一体成長物。
【０１１５】
［一次産品の付属物１２］
所定の食品と略同一条件で所定の食品とは別体で成長した代替食品と一体に成長した代替一体成長物の粉末。
例えば、所定の食品が大根である場合に、代替一体成長物の粉末として大根の葉の粉末が挙げられる。また、所定の食品が茶葉である場合に、代替一体成長物の粉末として親葉の粉末が挙げられる。
【０１１６】
［一次産品の付属物１３］
所定の食品と略同一条件で所定の食品とは別体で成長した代替食品と一体に成長した代替一体成長物の加工品。
例えば、所定の食品が大根である場合に、代替一体成長物の加工品として大根の葉のジュースが挙げられる。
【０１１７】
［一次産品の付属物１４］
所定の食品と略同一条件で所定の食品とは別体で成長した代替食品と一体に成長した代替一体成長物の粉末加工品。
【０１１８】
［一次産品の付属物１５］
所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分。
【０１１９】
［一次産品の付属物１６］
所定の食品と一体に成長した一体成長物の所定の食品とは異なる部分の粉末であり、若しくは、所定の食品と略同一条件で所定の食品とは別体で成長した代替食品と一体に成長した代替一体成長物の所定の食品に対応する部分とは異なる部分の粉末。
【０１２０】
［一次産品の付属物１７］
所定の食品と一体に成長した一体成長物の所定の食品とは異なる部分の加工品であり、若しくは、所定の食品と略同一条件で所定の食品とは別体で成長した代替食品と一体に成長した代替一体成長物の所定の食品に対応する部分とは異なる部分の加工品。
【０１２１】
［一次産品の付属物１８］
所定の食品と一体に成長した一体成長物の所定の食品とは異なる部分の粉末加工品であり、若しくは、所定の食品と略同一条件で所定の食品とは別体で成長した代替食品と一体に成長した代替一体成長物の所定の食品に対応する部分とは異なる部分の粉末加工品。
【０１２２】
［一次産品の付属物１９］
所定の食品の次世代の種子、若しくは、所定の食品と略同一条件で所定の食品とは別体で成長した代替食品の次世代の種子、若しくは、所定の食品の次世代の種籾。
【０１２３】
［一次産品の付属物２０］
所定の食品の一部、若しくは、所定の食品と略同一条件で所定の食品とは別体で成長した代替食品から得られた種芋。なお、種芋はスライス片であっても良い。
【０１２４】
［一次産品の付属物２１］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２５】
［一次産品の付属物２２］
所定の食品と略同一条件で所定の食品とは別体で成長した代替食品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２６】
［一次産品の付属物２３］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２７】
［一次産品の付属物２４］
所定の食品と略同一条件で所定の食品とは別体で成長した代替食品の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１２８】
［一次産品の付属物２５］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１２９】
［一次産品の付属物２６］
所定の食品と略同一条件で所定の食品とは別体で成長した代替食品の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３０】
［一次産品の付属物２７］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３１】
［一次産品の付属物２８］
所定の食品と略同一条件で所定の食品とは別体で成長した代替食品の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３２】
［一次産品の付属物２９］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３３】
［一次産品の付属物３０］
所定の食品と略同一条件で所定の食品とは別体で成長した代替食品と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３４】
［一次産品の付属物３１］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３５】
［一次産品の付属物３２］
所定の食品と略同一条件で所定の食品とは別体で成長した代替食品と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３６】
［一次産品の付属物３３］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３７】
［一次産品の付属物３４］
所定の食品と略同一条件で所定の食品とは別体で成長した代替食品と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１３８】
［一次産品の付属物３５］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１３９】
［一次産品の付属物３６］
所定の食品と略同一条件で所定の食品とは別体で成長した代替食品と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４０】
［一次産品の付属物３７］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４１】
［一次産品の付属物３８］
所定の食品と一体に成長した一体成長物の所定の食品とは異なる部分、若しくは、所定の食品と略同一条件で所定の食品とは別体で成長した代替食品と一体に成長した代替一体成長物の所定の食品に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４２】
［一次産品の付属物３９］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４３】
［一次産品の付属物４０］
所定の食品と一体に成長した一体成長物の所定の食品とは異なる部分の粉末、若しくは、所定の食品と略同一条件で所定の食品とは別体で成長した代替食品と一体に成長した代替一体成長物の所定の食品に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４４】
［一次産品の付属物４１］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４５】
［一次産品の付属物４２］
所定の食品と一体に成長した一体成長物の所定の食品とは異なる部分の加工品、若しくは、所定の食品と略同一条件で所定の食品とは別体で成長した代替食品と一体に成長した代替一体成長物の所定の食品に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４６】
［一次産品の付属物４３］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４７】
［一次産品の付属物４４］
所定の食品と一体に成長した一体成長物の所定の食品とは異なる部分の粉末加工品、若しくは、所定の食品と略同一条件で所定の食品とは別体で成長した代替食品と一体に成長した代替一体成長物の所定の食品に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１４８】
［一次産品の付属物４５］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１４９】
［一次産品の付属物４６］
所定の食品の次世代の種子、若しくは、所定の食品と略同一条件で所定の食品とは別体で成長した代替食品の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５０】
［一次産品の付属物４７］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１５１】
［一次産品の付属物４８］
所定の食品の一部、若しくは、所定の食品と略同一条件で所定の食品とは別体で成長した代替食品から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１５２】
［一次産品の付属物４９］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されて構成されたもの。
【０１５３】
［一次産品の付属物５０］
所定の食品の一部であり、若しくは、所定の食品と略同一条件で所定の食品とは別体で成長した代替食品であり、若しくは、所定の食品と一体に成長した一体成長物の所定の食品とは異なる部分であり、若しくは、所定の食品と略同一条件で所定の食品とは別体で成長した代替食品と一体に成長した代替一体成長物の所定の食品に対応する部分とは異なる部分である付属物本体が、水と共に収容されると共に、アンモニアセンサーを有して構成されたもの。
【０１５４】
［一次産品の付属物５１］
所定の食品の収穫後に使用された農薬。
【０１５５】
［一次産品の付属物５２］
所定の食品の生産の後に同所定の食品に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０１５６】
［一次産品の付属物５３］
所定の食品の生産の後に同所定の食品に関与した動物用食品添加物、若しくは、成長ホルモン剤の少なくとも１つ。
【０１５７】
［一次産品の付属物５４］
所定の食品の生産と略同時期に略同一環境で成長した海藻、草、魚介類の少なくとも１つ。
【０１５８】
また、「所定の商品」や「参考商品」が食品（二次産品）である場合の付属物としては、例えば、以下が挙げられ、「商品の品質理解のための第１の情報」、「商品の品質理解のための第２の情報」、「参考商品の品質理解のための第３の情報」、「参考商品の品質理解のための第４の情報」としては、例えば、以下に示す付属物の情報が挙げられる。なお、「所定の商品」や「参考商品」が食品（二次産品）でない場合については、以下の付属物の説明中の「食品」を「商品」に読み替えるものとする。
【０１５９】
同様に、「所定のサービス」や「参考サービス」が食品（二次産品）の提供（例えば、レストラン）である場合の付属物としては、例えば、以下が挙げられ、「サービスの品質理解のための第１の情報」、「サービスの品質理解のための第２の情報」、「参考サービスの品質理解のための第３の情報」、「参考サービスの品質理解のための第４の情報」としては、例えば、以下に示す付属物の情報が挙げられる。なお、食品以外の商品（二次産品）の提供である場合の付属物については、以下の付属物の説明中の「食品」を「商品」に読み替えるものとする。
【０１６０】
［二次産品の付属物１］
所定の食品の原料。なお、カット面を有する原料であっても良い。
【０１６１】
［二次産品の付属物２］
所定の食品の原料と略同一条件で所定の食品の原料とは別体で成長した代替原料。なお、カット面を有する代替原料であっても良い。
【０１６２】
［二次産品の付属物３］
所定の食品の原料と略同一条件で所定の食品の原料とは別体で成長した代替原料の粉末。
【０１６３】
［二次産品の付属物４］
所定の食品の原料と略同一条件で所定の食品の原料とは別体で成長した代替原料の加工品。
【０１６４】
［二次産品の付属物５］
所定の食品の原料と略同一条件で所定の食品の原料とは別体で成長した代替原料の粉末加工品。
【０１６５】
［二次産品の付属物６］
所定の食品の原料と略同一条件で所定の食品の原料とは別体で成長した代替原料と一体に成長した代替一体成長物。
【０１６６】
［二次産品の付属物７］
所定の食品の原料と略同一条件で所定の食品の原料とは別体で成長した代替原料と一体に成長した代替一体成長物の粉末。
【０１６７】
［二次産品の付属物８］
所定の食品の原料と略同一条件で所定の食品の原料とは別体で成長した代替原料と一体に成長した代替一体成長物の加工品。
【０１６８】
［二次産品の付属物９］
所定の食品の原料と略同一条件で所定の食品の原料とは別体で成長した代替原料と一体に成長した代替一体成長物の粉末加工品。
【０１６９】
［二次産品の付属物１０］
所定の食品の原料である卵。
【０１７０】
［二次産品の付属物１１］
所定の食品の原料である卵と略同一条件で生産された代替卵。なお、代替卵は殻を割った生卵であっても良い。
【０１７１】
［二次産品の付属物１２］
所定の食品の生産に関与した乳酸菌、ビフィズス菌、麹、麹菌、若しくは、枯草菌の少なくとも１つ。
【０１７２】
［二次産品の付属物１３］
所定の食品の生産に関与した木樽、瓶、プラスチック製容器、若しくは、漬け床。
【０１７３】
［二次産品の付属物１４］
所定の食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、昆虫類、忌避植物、飼料、赤身肉化剤、抗生物質、成長ホルモン剤、ビニールハウスのビニールと略同質のビニールの少なくとも１つ。
【０１７４】
［二次産品の付属物１５］
所定の食品の原料の生産地における種まきや苗植え前の土壌、及び、所定の食品の原料の生産地における収穫後の土壌。
【０１７５】
［二次産品の付属物１６］
所定の食品の原料の生産に関与した土壌、水、海水、海底水、アルカリ水、海底水から採取した塩、海藻の少なくとも１つである生産関与物本体と、該生産関与物本体の採取地の情報である採取地情報とを有するもの。
【０１７６】
［二次産品の付属物１７］
所定の食品の原料の生産地で得られた草。
【０１７７】
［二次産品の付属物１８］
所定の食品の原料の生産に関与した外国産の飼料である草、所定の食品の原料の生産に関与した国内産の飼料である草、所定の食品の原料の生産に関与した外国産の穀物飼料、所定の食品の原料の生産に関与した国内産の穀物飼料の少なくとも１つ。
【０１７８】
［二次産品の付属物１９］
所定の食品の原料の生産に関与した飼料と略同一であり、穀物部分と、抗生物質及び成
長ホルモン剤部分とが別個の状態に構成されたもの。
【０１７９】
［二次産品の付属物２０］
所定の食品の生産に関与した木樽の木片、所定の食品の生産に関与した木樽と略同一条件の木樽の木片、所定の食品の生産に関与した木樽の構成材と同一種類の木片、所定の食品を生産した木樽の中に同所定の食品と共に入れられた前記木樽の構成材と同一種類の木片、所定の食品に含まれる汁、若しくは、所定の食品の生産に関与した汁の少なくとも１つ。
【０１８０】
［二次産品の付属物２１］
所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分。
【０１８１】
［二次産品の付属物２２］
所定の食品の原料と一体に成長した一体成長物の所定の食品の原料とは異なる部分の粉末であり、若しくは、所定の食品の原料と略同一条件で所定の食品の原料とは別体で成長した代替原料と一体に成長した代替一体成長物の所定の食品の原料に対応する部分とは異なる部分の粉末。
【０１８２】
［二次産品の付属物２３］
所定の食品の原料と一体に成長した一体成長物の所定の食品の原料とは異なる部分の加工品であり、若しくは、所定の食品の原料と略同一条件で所定の食品の原料とは別体で成長した代替原料と一体に成長した代替一体成長物の所定の食品の原料に対応する部分とは異なる部分の加工品。
【０１８３】
［二次産品の付属物２４］
所定の食品の原料と一体に成長した一体成長物の所定の食品の原料とは異なる部分の粉末加工品であり、若しくは、所定の食品の原料と略同一条件で所定の食品の原料とは別体で成長した代替原料と一体に成長した代替一体成長物の所定の食品の原料に対応する部分とは異なる部分の粉末加工品。
【０１８４】
［二次産品の付属物２５］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つ。
【０１８５】
［二次産品の付属物２６］
所定の機能別若しくは所定の用途別に分類された所定の食品に用いられた食品添加物の少なくとも一部。
【０１８６】
［二次産品の付属物２７］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、前記所定の割合を表示した表示物。
【０１８７】
［二次産品の付属物２８］
所定の食品の原料の次世代の種子、若しくは、所定の食品の原料と略同一条件で所定の食品の原料とは別体で成長した代替原料の次世代の種子。
【０１８８】
［二次産品の付属物２９］
所定の食品の原料の一部、若しくは、所定の食品の原料と略同一条件で所定の食品の原料とは別体で成長した代替原料から得られた種芋。
【０１８９】
［二次産品の付属物３０］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９０】
［二次産品の付属物３１］
所定の食品の原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９１】
［二次産品の付属物３２］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９２】
［二次産品の付属物３３］
所定の食品の原料と略同一条件で所定の食品の原料とは別体で成長した代替原料と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９３】
［二次産品の付属物３４］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９４】
［二次産品の付属物３５］
所定の食品の原料と略同一条件で所定の食品の原料とは別体で成長した代替原料の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９５】
［二次産品の付属物３６］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９６】
［二次産品の付属物３７］
所定の食品の原料と略同一条件で所定の食品の原料とは別体で成長した代替原料の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９７】
［二次産品の付属物３８］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０１９８】
［二次産品の付属物３９］
所定の食品の原料と略同一条件で所定の食品の原料とは別体で成長した代替原料の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０１９９】
［二次産品の付属物４０］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２００】
［二次産品の付属物４１］
所定の食品の原料と略同一条件で所定の食品の原料とは別体で成長した代替原料と一体に成長した代替一体成長物と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０１】
［二次産品の付属物４２］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０２】
［二次産品の付属物４３］
所定の食品の原料と略同一条件で所定の食品の原料とは別体で成長した代替原料と一体に成長した代替一体成長物の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０３】
［二次産品の付属物４４］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０４】
［二次産品の付属物４５］
所定の食品の原料と略同一条件で所定の食品の原料とは別体で成長した代替原料と一体に成長した代替一体成長物の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０５】
［二次産品の付属物４６］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０６】
［二次産品の付属物４７］
所定の食品の原料と略同一条件で所定の食品の原料とは別体で成長した代替原料と一体に成長した代替一体成長物の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０７】
［二次産品の付属物４８］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２０８】
［二次産品の付属物４９］
所定の食品の原料と一体に成長した一体成長物の所定の食品の原料とは異なる部分、若しくは、所定の食品の原料と略同一条件で所定の食品の原料とは別体で成長した代替原料と一体に成長した代替一体成長物の所定の食品の原料に対応する部分とは異なる部分と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２０９】
［二次産品の付属物５０］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１０】
［二次産品の付属物５１］
所定の食品の原料と一体に成長した一体成長物の所定の食品の原料とは異なる部分の粉末、若しくは、所定の食品の原料と略同一条件で所定の食品の原料とは別体で成長した代替原料と一体に成長した代替一体成長物の所定の食品の原料に対応する部分とは異なる部分の粉末と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１１】
［二次産品の付属物５２］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１２】
［二次産品の付属物５３］
所定の食品の原料と一体に成長した一体成長物の所定の食品の原料とは異なる部分の加工品、若しくは、所定の食品の原料と略同一条件で所定の食品の原料とは別体で成長した代替原料と一体に成長した代替一体成長物の所定の食品の原料に対応する部分とは異なる部分の加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１３】
［二次産品の付属物５４］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１４】
［二次産品の付属物５５］
所定の食品の原料と一体に成長した一体成長物の所定の食品の原料とは異なる部分の粉末加工品、若しくは、所定の食品の原料と略同一条件で所定の食品の原料とは別体で成長した代替原料と一体に成長した代替一体成長物の所定の食品の原料に対応する部分とは異なる部分の粉末加工品と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１５】
［二次産品の付属物５６］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２１６】
［二次産品の付属物５７］
所定の食品に用いられた食品添加物の総重量と同じ重量の食品添加物、所定の食品に用いられた食品添加物の総重量と同じ重量の擬似物、所定の食品に用いられた食品添加物の総体積と同じ体積の食品添加物、所定の食品に用いられた食品添加物の総体積と同じ体積の擬似物、所定の食品に用いられた食品添加物の総体積と見かけ上同じ体積の食品添加物、所定の食品に用いられた食品添加物の総体積と見かけ上同じ体積の擬似物、所定の食品に用いられた砂糖の総重量と同じ重量の砂糖、所定の食品に用いられた砂糖の総重量と同じ重量の擬似物、所定の食品に用いられた砂糖の総体積と同じ体積の砂糖、所定の食品に用いられた砂糖の総体積と同じ体積の擬似物、所定の食品に用いられた砂糖の総体積と見かけ上同じ体積の砂糖、所定の食品に用いられた砂糖の総体積と見かけ上同じ体積の擬似物、所定の食品に用いられた塩の総重量と同じ重量の塩、所定の食品に用いられた塩の総重量と同じ重量の擬似物、所定の食品に用いられた塩の総体積と同じ体積の塩、所定の食品に用いられた塩の総体積と同じ体積の擬似物、所定の食品に用いられた塩の総体積と見かけ上同じ体積の塩、所定の食品に用いられた塩の総体積と見かけ上同じ体積の擬似物、所定の食品に用いられたタンパク加水分解物の総重量と同じ重量のタンパク加水分解物、所定の食品に用いられたタンパク加水分解物の総重量と同じ重量の擬似物、所定の食品に用いられたタンパク加水分解物の総体積と同じ体積のタンパク加水分解物、所定の食品に用いられたタンパク加水分解物の総体積と同じ体積の擬似物、所定の食品に用いられたタンパク加水分解物の総体積と見かけ上同じ体積のタンパク加水分解物、所定の食品に用いられたタンパク加水分解物の総体積と見かけ上同じ体積の擬似物、所定の食品に用いられた調味料の総重量と同じ重量の調味料、所定の食品に用いられた調味料の総重量と同じ重量の擬似物、所定の食品に用いられた調味料の総体積と同じ体積の調味料、所定の食品に用いられた調味料の総体積と同じ体積の擬似物、所定の食品に用いられた調味料の総体積と見かけ上同じ体積の調味料、所定の食品に用いられた調味料の総体積と見かけ上同じ体積の擬似物、所定の食品に用いられたブドウ糖果糖液糖の総重量と同じ重量のブドウ糖果糖液糖、所定の食品に用いられたブドウ糖果糖液糖の総重量と同じ重量の擬似物、所定の食品に用いられたブドウ糖果糖液糖の総体積と同じ体積のブドウ糖果糖液糖、所定の食品に用いられたブドウ糖果糖液糖の総体積と同じ体積の擬似物、所定の食品に用いられたブドウ糖果糖液糖の総体積と見かけ上同じ体積のブドウ糖果糖液糖、所定の食品に用いられたブドウ糖果糖液糖の総体積と見かけ上同じ体積の擬似物、所定の食品に用いられた加工油脂の総重量と同じ重量の加工油脂、所定の食品に用いられた加工油脂の総重量と同じ重量の擬似物、所定の食品に用いられた加工油脂の総体積と同じ体積の加工油脂、所定の食品に用いられた加工油脂の総体積と同じ体積の擬似物、所定の食品に用いられた加工油脂の総体積と見かけ上同じ体積の加工油脂、所定の食品に用いられた加工油脂の総体積と見かけ上同じ体積の擬似物、所定の食品に用いられたトランス脂肪酸の総重量と同じ重量のトランス脂肪酸、所定の食品に用いられたトランス脂肪酸の総重量と同じ重量の擬似物、所定の食品に用いられたトランス脂肪酸の総体積と同じ体積のトランス脂肪酸、所定の食品に用いられたトランス脂肪酸の総体積と同じ体積の擬似物、所定の食品に用いられたトランス脂肪酸の総体積と見かけ上同じ体積のトランス脂肪酸、所定の食品に用いられたトランス脂肪酸の総体積と見かけ上同じ体積の擬似物、所定の食品に用いられた加工デンプンの総重量と同じ重量の加工デンプン、所定の食品に用いられた加工デンプンの総重量と同じ重量の擬似物、所定の食品に用いられた加工デンプンの総体積と同じ体積の加工デンプン、所定の食品に用いられた加工デンプンの総体積と同じ体積の擬似物、所定の食品に用いられた加工デンプンの総体積と見かけ上同じ体積の加工デンプン、所定の食品に用いられた加工デンプンの総体積と見かけ上同じ体積の擬似物、所定の食品に用いられた食品添加物のうち一括名の表示が認められた食品添加物の総重量と同じ重量の食品添加物、所定の食品に用いられた食品添加物のうち一括名の表示が認められた食品添加物の総重量と同じ重量の擬似物、所定の食品に用いられた食品添加物のうち一括名の表示が認められた食品添加物の総体積と同じ体積の食品添加物、所定の食品に用いられた食品添加物のうち一括名の表示が認められた食品添加物の総体積と同じ体積の擬似物、所定の食品に用いられた食品添加物のうち一括名の表示が認められた食品添加物の総体積と見かけ上同じ体積の食品添加物、所定の食品に用いられた食品添加物のうち一括名の表示が認められた食品添加物の総体積と見かけ上同じ体積の擬似物、所定の食品に用いられた合成ビタミンの総重量と同じ重量の合成ビタミン、所定の食品に用いられた合成ビタミンの総重量と同じ重量の擬似物、所定の食品に用いられた合成ビタミンの総体積と同じ体積の合成ビタミン、所定の食品に用いられた合成ビタミンの総体積と同じ体積の擬似物、所定の食品に用いられた合成ビタミンの総体積と見かけ上同じ体積の合成ビタミン、所定の食品に用いられた合成ビタミンの総体積と見かけ上同じ体積の擬似物、所定の食品に用いられた食品添加物のうちキャリーオーバーとみなされた食品添加物の総重量と同じ重量の食品添加物、所定の食品に用いられた食品添加物のうちキャリーオーバーとみなされた食品添加物の総重量と同じ重量の擬似物、所定の食品に用いられた食品添加物のうちキャリーオーバーとみなされた食品添加物の総体積と同じ体積の食品添加物、所定の食品に用いられた食品添加物のうちキャリーオーバーとみなされた食品添加物の総体積と同じ体積の擬似物、所定の食品に用いられた食品添加物のうちキャリーオーバーとみなされた食品添加物の総体積と見かけ上同じ体積の食品添加物、所定の食品に用いられた食品添加物のうちキャリーオーバーとみなされた食品添加物の総体積と見かけ上同じ体積の擬似物、所定の食品に用いられた食品添加物のうちキャリーオーバーとみなされた食品添加物を除く食品添加物の総重量と同じ重量の食品添加物、所定の食品に用いられた食品添加物のうちキャリーオーバーとみなされた食品添加物を除く食品添加物の総重量と同じ重量の擬似物、所定の食品に用いられた食品添加物のうちキャリーオーバーとみなされた食品添加物を除く食品添加物の総体積と同じ体積の食品添加物、所定の食品に用いられた食品添加物のうちキャリーオーバーとみなされた食品添加物を除く食品添加物の総体積と同じ体積の擬似物、所定の食品に用いられた食品添加物のうちキャリーオーバーとみなされた食品添加物を除く食品添加物の総体積と見かけ上同じ体積の食品添加物、所定の食品に用いられた食品添加物のうちキャリーオーバーとみなされた食品添加物を除く食品添加物の総体積と見かけ上同じ体積の擬似物、所定の食品に用いられた脱脂加工大豆の総重量と同じ重量の脱脂加工大豆、所定の食品に用いられた脱脂加工大豆の総重量と同じ重量の擬似物、所定の食品に用いられた脱脂加工大豆の総体積と同じ体積の脱脂加工大豆、所定の食品に用いられた脱脂加工大豆の総体積と同じ体積の擬似物、所定の食品に用いられた脱脂加工大豆の総体積と見かけ上同じ体積の脱脂加工大豆、所定の食品に用いられた脱脂加工大豆の総体積と見かけ上同じ体積の擬似物、所定の食品に用いられたリン酸塩の総重量と同じ重量のリン酸塩、所定の食品に用いられたリン酸塩の総重量と同じ重量の擬似物、所定の食品に用いられたリン酸塩の総体積と同じ体積のリン酸塩、所定の食品に用いられたリン酸塩の総体積と同じ体積の擬似物、所定の食品に用いられたリン酸塩の総体積と見かけ上同じ体積のリン酸塩、所定の食品に用いられたリン酸塩の総体積と見かけ上同じ体積の擬似物、所定の食品に用いられたソルビン酸の総重量と同じ重量のソルビン酸、所定の食品に用いられたソルビン酸の総重量と同じ重量の擬似物、所定の食品に用いられたソルビン酸の総体積と同じ体積のソルビン酸、所定の食品に用いられたソルビン酸の総体積と同じ体積の擬似物、所定の食品に用いられたソルビン酸の総体積と見かけ上同じ体積のソルビン酸、所定の食品に用いられたソルビン酸の総体積と見かけ上同じ体積の擬似物、所定の食品に用いられたアスパルテームの総重量と同じ重量のアスパルテーム、所定の食品に用いられたアスパルテームの総重量と同じ重量の擬似物、所定の食品に用いられたアスパルテームの総体積と同じ体積のアスパルテーム、所定の食品に用いられたアスパルテームの総体積と同じ体積の擬似物、所定の食品に用いられたアスパルテームの総体積と見かけ上同じ体積のアスパルテーム、所定の食品に用いられたアスパルテームの総体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２１７】
［二次産品の付属物５８］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つを有するもの、及び、前記所定の割合を表示した表示物。
【０２１８】
［二次産品の付属物５９］
所定の食品に用いられた食品添加物の総重量に所定の割合を乗じて得られた重量と同じ重量の食品添加物、所定の食品に用いられた食品添加物の総重量に所定の割合を乗じて得られた重量と同じ重量の擬似物、所定の食品に用いられた食品添加物の総体積に所定の割合を乗じて得られた体積と同じ体積の食品添加物、所定の食品に用いられた食品添加物の総体積に所定の割合を乗じて得られた体積と同じ体積の擬似物、所定の食品に用いられた食品添加物の総体積に所定の割合を乗じて得られた体積と見かけ上同じ体積の食品添加物、所定の食品に用いられた食品添加物の総体積に所定の割合を乗じて得られた体積と見かけ上同じ体積の擬似物、所定の食品に用いられた砂糖の総重量に所定の割合を乗じて得られた重量と同じ重量の砂糖、所定の食品に用いられた砂糖の総重量に所定の割合を乗じて得られた重量と同じ重量の擬似物、所定の食品に用いられた砂糖の総体積に所定の割合を乗じて得られた体積と同じ体積の砂糖、所定の食品に用いられた砂糖の総体積に所定の割合を乗じて得られた体積と同じ体積の擬似物、所定の食品に用いられた砂糖の総体積に所定の割合を乗じて得られた体積と見かけ上同じ体積の砂糖、所定の食品に用いられた砂糖の総体積に所定の割合を乗じて得られた体積と見かけ上同じ体積の擬似物、所定の食品に用いられた塩の総重量に所定の割合を乗じて得られた重量と同じ重量の塩、所定の食品に用いられた塩の総重量に所定の割合を乗じて得られた重量と同じ重量の擬似物、所定の食品に用いられた塩の総体積に所定の割合を乗じて得られた体積と同じ体積の塩、所定の食品に用いられた塩の総体積に所定の割合を乗じて得られた体積と同じ体積の擬似物、所定の食品に用いられた塩の総体積に所定の割合を乗じて得られた体積と見かけ上同じ体積の塩、所定の食品に用いられた塩の総体積に所定の割合を乗じて得られた体積と見かけ上同じ体積の擬似物、所定の食品に用いられたタンパク加水分解物の総重量に所定の割合を乗じて得られた重量と同じ重量のタンパク加水分解物、所定の食品に用いられたタンパク加水分解物の総重量に所定の割合を乗じて得られた重量と同じ重量の擬似物、所定の食品に用いられたタンパク加水分解物の総体積に所定の割合を乗じて得られた体積と同じ体積のタンパク加水分解物、所定の食品に用いられたタンパク加水分解物の総体積に所定の割合を乗じて得られた体積と同じ体積の擬似物、所定の食品に用いられたタンパク加水分解物の総体積に所定の割合を乗じて得られた体積と見かけ上同じ体積のタンパク加水分解物、所定の食品に用いられたタンパク加水分解物の総体積に所定の割合を乗じて得られた体積と見かけ上同じ体積の擬似物、所定の食品に用いられた調味料の総重量に所定の割合を乗じて得られた重量と同じ重量の調味料、所定の食品に用いられた調味料の総重量に所定の割合を乗じて得られた重量と同じ重量の擬似物、所定の食品に用いられた調味料の総体積に所定の割合を乗じて得られた体積と同じ体積の調味料、所定の食品に用いられた調味料の総体積に所定の割合を乗じて得られた体積と同じ体積の擬似物、所定の食品に用いられた調味料の総体積に所定の割合を乗じて得られた体積と見かけ上同じ体積の調味料、所定の食品に用いられた調味料の総体積に所定の割合を乗じて得られた体積と見かけ上同じ体積の擬似物、所定の食品に用いられたブドウ糖果糖液糖の総重量に所定の割合を乗じて得られた重量と同じ重量のブドウ糖果糖液糖、所定の食品に用いられたブドウ糖果糖液糖の総重量に所定の割合を乗じて得られた重量と同じ重量の擬似物、所定の食品に用いられたブドウ糖果糖液糖の総体積に所定の割合を乗じて得られた体積と同じ体積のブドウ糖果糖液糖、所定の食品に用いられたブドウ糖果糖液糖の総体積に所定の割合を乗じて得られた体積と同じ体積の擬似物、所定の食品に用いられたブドウ糖果糖液糖の総体積に所定の割合を乗じて得られた体積と見かけ上同じ体積のブドウ糖果糖液糖、所定の食品に用いられたブドウ糖果糖液糖の総体積に所定の割合を乗じて得られた体積と見かけ上同じ体積の擬似物、所定の食品に用いられた加工油脂の総重量に所定の割合を乗じて得られた重量と同じ重量の加工油脂、所定の食品に用いられた加工油脂の総重量に所定の割合を乗じて得られた重量と同じ重量の擬似物、所定の食品に用いられた加工油脂の総体積に所定の割合を乗じて得られた体積と同じ体積の加工油脂、所定の食品に用いられた加工油脂の総体積に所定の割合を乗じて得られた体積と同じ体積の擬似物、所定の食品に用いられた加工油脂の総体積に所定の割合を乗じて得られた体積と見かけ上同じ体積の加工油脂、所定の食品に用いられた加工油脂の総体積に所定の割合を乗じて得られた体積と見かけ上同じ体積の擬似物、所定の食品に用いられたトランス脂肪酸の総重量に所定の割合を乗じて得られた重量と同じ重量のトランス脂肪酸、所定の食品に用いられたトランス脂肪酸の総重量に所定の割合を乗じて得られた重量と同じ重量の擬似物、所定の食品に用いられたトランス脂肪酸の総体積に所定の割合を乗じて得られた体積と同じ体積のトランス脂肪酸、所定の食品に用いられたトランス脂肪酸の総体積に所定の割合を乗じて得られた体積と同じ体積の擬似物、所定の食品に用いられたトランス脂肪酸の総体積に所定の割合を乗じて得られた体積と見かけ上同じ体積のトランス脂肪酸、所定の食品に用いられたトランス脂肪酸の総体積に所定の割合を乗じて得られた体積と見かけ上同じ体積の擬似物、所定の食品に用いられた加工デンプンの総重量に所定の割合を乗じて得られた重量と同じ重量の加工デンプン、所定の食品に用いられた加工デンプンの総重量に所定の割合を乗じて得られた重量と同じ重量の擬似物、所定の食品に用いられた加工デンプンの総体積に所定の割合を乗じて得られた体積と同じ体積の加工デンプン、所定の食品に用いられた加工デンプンの総体積に所定の割合を乗じて得られた体積と同じ体積の擬似物、所定の食品に用いられた加工デンプンの総体積に所定の割合を乗じて得られた体積と見かけ上同じ体積の加工デンプン、所定の食品に用いられた加工デンプンの総体積に所定の割合を乗じて得られた体積と見かけ上同じ体積の擬似物、所定の食品に用いられた食品添加物のうち一括名の表示が認められた食品添加物の総重量に所定の割合を乗じて得られた重量と同じ重量の食品添加物、所定の食品に用いられた食品添加物のうち一括名の表示が認められた食品添加物の総重量に所定の割合を乗じて得られた重量と同じ重量の擬似物、所定の食品に用いられた食品添加物のうち一括名の表示が認められた食品添加物の総体積に所定の割合を乗じて得られた体積と同じ体積の食品添加物、所定の食品に用いられた食品添加物のうち一括名の表示が認められた食品添加物の総体積に所定の割合を乗じて得られた体積と同じ体積の擬似物、所定の食品に用いられた食品添加物のうち一括名の表示が認められた食品添加物の総体積に所定の割合を乗じて得られた体積と見かけ上同じ体積の食品添加物、所定の食品に用いられた食品添加物のうち一括名の表示が認められた食品添加物の総体積に所定の割合を乗じて得られた体積と見かけ上同じ体積の擬似物、所定の食品に用いられた合成ビタミンの総重量に所定の割合を乗じて得られた重量と同じ重量の合成ビタミン、所定の食品に用いられた合成ビタミンの総重量に所定の割合を乗じて得られた重量と同じ重量の擬似物、所定の食品に用いられた合成ビタミンの総体積に所定の割合を乗じて得られた体積と同じ体積の合成ビタミン、所定の食品に用いられた合成ビタミンの総体積に所定の割合を乗じて得られた体積と同じ体積の擬似物、所定の食品に用いられた合成ビタミンの総体積に所定の割合を乗じて得られた体積と見かけ上同じ体積の合成ビタミン、所定の食品に用いられた合成ビタミンの総体積に所定の割合を乗じて得られた体積と見かけ上同じ体積の擬似物、所定の食品に用いられた食品添加物のうちキャリーオーバーとみなされた食品添加物の総重量に所定の割合を乗じて得られた重量と同じ重量の食品添加物、所定の食品に用いられた食品添加物のうちキャリーオーバーとみなされた食品添加物の総重量に所定の割合を乗じて得られた重量と同じ重量の擬似物、所定の食品に用いられた食品添加物のうちキャリーオーバーとみなされた食品添加物の総体積に所定の割合を乗じて得られた体積と同じ体積の食品添加物、所定の食品に用いられた食品添加物のうちキャリーオーバーとみなされた食品添加物の総体積に所定の割合を乗じて得られた体積と同じ体積の擬似物、所定の食品に用いられた食品添加物のうちキャリーオーバーとみなされた食品添加物の総体積に所定の割合を乗じて得られた体積と見かけ上同じ体積の食品添加物、所定の食品に用いられた食品添加物のうちキャリーオーバーとみなされた食品添加物の総体積に所定の割合を乗じて得られた体積と見かけ上同じ体積の擬似物、所定の食品に用いられた食品添加物のうちキャリーオーバーとみなされた食品添加物を除く食品添加物の総重量に所定の割合を乗じて得られた重量と同じ重量の食品添加物、所定の食品に用いられた食品添加物のうちキャリーオーバーとみなされた食品添加物を除く食品添加物の総重量に所定の割合を乗じて得られた重量と同じ重量の擬似物、所定の食品に用いられた食品添加物のうちキャリーオーバーとみなされた食品添加物を除く食品添加物の総体積に所定の割合を乗じて得られた体積と同じ体積の食品添加物、所定の食品に用いられた食品添加物のうちキャリーオーバーとみなされた食品添加物を除く食品添加物の総体積に所定の割合を乗じて得られた体積と同じ体積の擬似物、所定の食品に用いられた食品添加物のうちキャリーオーバーとみなされた食品添加物を除く食品添加物の総体積に所定の割合を乗じて得られた体積と見かけ上同じ体積の食品添加物、所定の食品に用いられた食品添加物のうちキャリーオーバーとみなされた食品添加物を除く食品添加物の総体積に所定の割合を乗じて得られた体積と見かけ上同じ体積の擬似物、所定の食品に用いられた脱脂加工大豆の総重量に所定の割合を乗じて得られた重量と同じ重量の脱脂加工大豆、所定の食品に用いられた脱脂加工大豆の総重量に所定の割合を乗じて得られた重量と同じ重量の擬似物、所定の食品に用いられた脱脂加工大豆の総体積に所定の割合を乗じて得られた体積と同じ体積の脱脂加工大豆、所定の食品に用いられた脱脂加工大豆の総体積に所定の割合を乗じて得られた体積と同じ体積の擬似物、所定の食品に用いられた脱脂加工大豆の総体積に所定の割合を乗じて得られた体積と見かけ上同じ体積の脱脂加工大豆、所定の食品に用いられた脱脂加工大豆の総体積に所定の割合を乗じて得られた体積と見かけ上同じ体積の擬似物、所定の食品に用いられたリン酸塩の総重量に所定の割合を乗じて得られた重量と同じ重量のリン酸塩、所定の食品に用いられたリン酸塩の総重量に所定の割合を乗じて得られた重量と同じ重量の擬似物、所定の食品に用いられたリン酸塩の総体積に所定の割合を乗じて得られた体積と同じ体積のリン酸塩、所定の食品に用いられたリン酸塩の総体積に所定の割合を乗じて得られた体積と同じ体積の擬似物、所定の食品に用いられたリン酸塩の総体積に所定の割合を乗じて得られた体積と見かけ上同じ体積のリン酸塩、所定の食品に用いられたリン酸塩の総体積に所定の割合を乗じて得られた体積と見かけ上同じ体積の擬似物、所定の食品に用いられたソルビン酸の総重量に所定の割合を乗じて得られた重量と同じ重量のソルビン酸、所定の食品に用いられたソルビン酸の総重量に所定の割合を乗じて得られた重量と同じ重量の擬似物、所定の食品に用いられたソルビン酸の総体積に所定の割合を乗じて得られた体積と同じ体積のソルビン酸、所定の食品に用いられたソルビン酸の総体積に所定の割合を乗じて得られた体積と同じ体積の擬似物、所定の食品に用いられたソルビン酸の総体積に所定の割合を乗じて得られた体積と見かけ上同じ体積のソルビン酸、所定の食品に用いられたソルビン酸の総体積に所定の割合を乗じて得られた体積と見かけ上同じ体積の擬似物、所定の食品に用いられたアスパルテームの総重量に所定の割合を乗じて得られた重量と
同じ重量のアスパルテーム、所定の食品に用いられたアスパルテームの総重量に所定の割合を乗じて得られた重量と同じ重量の擬似物、所定の食品に用いられたアスパルテームの総体積に所定の割合を乗じて得られた体積と同じ体積のアスパルテーム、所定の食品に用いられたアスパルテームの総体積に所定の割合を乗じて得られた体積と同じ体積の擬似物、所定の食品に用いられたアスパルテームの総体積に所定の割合を乗じて得られた体積と見かけ上同じ体積のアスパルテーム、所定の食品に用いられたアスパルテームの総体積に所定の割合を乗じて得られた体積と見かけ上同じ体積の擬似物の少なくとも１つと、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの、及び、前記所定の割合を表示した表示物。
【０２１９】
［二次産品の付属物６０］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２２０】
［二次産品の付属物６１］
所定の食品の原料の次世代の種子、若しくは、所定の食品の原料と略同一条件で所定の食品の原料とは別体で成長した代替原料の次世代の種子と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２２１】
［二次産品の付属物６２］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つを有するもの。
【０２２２】
［二次産品の付属物６３］
所定の食品の原料の一部、若しくは、所定の食品の原料と略同一条件で所定の食品の原料とは別体で成長した代替原料から得られた種芋と、麹、麹菌、紅こうじ、納豆菌、酢酸菌、酵母菌、乳酸菌、塩、醤油、味噌、米糠、酒粕、酢、もろみ、からし、味醂の少なくとも１つが共に収容されて構成されたもの。
【０２２３】
［二次産品の付属物６４］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されたもの。
【０２２４】
［二次産品の付属物６５］
所定の食品の原料の一部であり、若しくは、所定の食品の原料と略同一条件で所定の食品の原料とは別体で成長した代替原料であり、若しくは、所定の食品の原料と一体に成長した一体成長物の所定の食品の原料とは異なる部分であり、若しくは、所定の食品の原料と略同一条件で所定の食品の原料とは別体で成長した代替原料と一体に成長した代替一体成長物の所定の食品の原料に対応する部分とは異なる部分である付属物本体が、水と共に収容されて構成されると共に、アンモニアセンサーを有して構成されたもの。
【０２２５】
［二次産品の付属物６６］
所定の食品の原料の収穫後に使用された農薬。
【０２２６】
［二次産品の付属物６７］
所定の食品を製造する直前の原料の最終投入工程における残留農薬量測定済みの原料。
【０２２７】
［二次産品の付属物６８］
所定の食品の原料の生産の後に同所定の食品の原料に関与した燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０２２８】
［二次産品の付属物６９］
所定の食品の原料の生産の後に同所定の食品の原料に関与した動物用食品添加物、若しくは、成長ホルモン剤の少なくとも１つ。
【０２２９】
［二次産品の付属物７０］
所定の食品の原料の加工直前に、同所定の食品の原料に含まれている燻蒸剤、消毒剤、殺菌剤、抗菌剤、防かび剤、防腐剤、被膜剤、酸化防止剤、除草剤、殺虫剤、漂白殺菌剤、若しくは、薬剤の少なくとも１つ。
【０２３０】
［二次産品の付属物７１］
所定の食品の原料の生産と略同時期に略同一環境で成長した海藻、草、魚介類の少なくとも１つ。
【０２３１】
その他、「所定の商品」の付属物として、所定の商品と略同一条件で所定の商品とは別体で製造された代替商品やその加工品（例えば、ランドセルや財布等）が挙げられる。
また、例えば、所定の商品が電気自動車（ＥＶ車）である場合に、付属物として車載されたバッテリー（蓄電池）を使った電化製品（例えば、ポータブルテレビ等）が挙げられる。また、例えば、所定の商品がＡＩ技術を用いた自動運転自動車である場合に、付属物として、搭載されたＡＩ技術を用いたロボット（例えば、積み木を組み立てるロボット等）や、搭載されたＡＩ技術を利用した玩具（例えば、文字から絵を描いたり、絵から文字を記載したりする玩具等）が挙げられる。
更に、「所定のサービス」が白蟻駆除である場合には、付属物として白蟻の存在を確認するためのエサが入った箱（白蟻がいる場合には、白蟻にエサが食べられることを確認することができる）が挙げられる。また、「所定のサービス」がガラス取替であれば、付属物として取り付けるガラスと同一のガラスが挙げられる。また、「所定のサービス」が放射能（放射線）を見分ける業務や、放射能（放射線）を測定する業務であれば、付属物として放射能（放射線）を測定するアプリや、それを組み込んだカメラが挙げられる。
【発明の効果】
【０２３２】
本発明の商品情報管理システム及びサービス情報管理システムでは、消費者がより一層安心して商品やサービスを選択することが可能となり、商品やサービスの信頼度の向上を実現することができる。
【図面の簡単な説明】
【０２３３】
【図１】本発明の商品情報管理システムの構成例の一例を説明するための模式図である。
【図２】図１の商品情報管理システムの使用方法の一例を示す模式図である。
【図３】本発明の変形例（１）を説明するための模式図である。
【図４】本発明の変形例（２）を説明するための模式図である。
【図５】本発明の商品情報管理システムの構成例の他の一例を説明するための模式図である。
【図６】図５の商品情報管理システムの使用方法の一例を示す模式図である。
【発明を実施するための形態】
【０２３４】
以下、発明を実施するための形態（以下、「実施の形態」と称する）について説明を行う。
【０２３５】
図１は、本発明の商品情報管理システムの構成例の一例を説明するための模式図である。
図１で示す商品情報管理システム１は、商品提供者が利用する商品提供者端末２と、情報提供者が利用する情報提供者端末３と、消費者が利用する消費者端末１０と、サーバ４とで構成される。
【０２３６】
また、商品提供者端末２、及び、情報提供者端末３は、インターネット５を介してサーバ４と各種情報をやり取り可能に構成されている。
【０２３７】
また、サーバ４は、商品提供者端末２から送信された商品提供者情報を記録する商品提供者情報記録手段６を有する。
【０２３８】
ここで、商品提供者情報記録手段６は、少なくとも、商品提供者が情報提供者や消費者に提供する商品の情報６ａと、こうした商品と共に提供される第１の付属物の情報６ｂと、参考商品の情報６ｃと、こうした参考商品と共に提供される第２の付属物の情報６ｄと、情報提供者の情報６ｅを記録可能に構成されている。
【０２３９】
ここでの参考商品としては、商品提供者が提供する商品（商品の情報６ａとして記録される商品）と同種同類の商品や、商品提供者が提供する商品（商品の情報６ａとして記録される商品）と比較可能な状態で提供される商品を意味する。
なお、「比較可能な状態で提供される商品」としては、（１）店頭で並べて配置されて提供される商品同士、（２）カタログ販売やネット販売で商品画像が並べて掲載される商品同士、（３）改良前後の商品、等が挙げられる。
本実施例では、商品と参考商品とは同種同類の商品である場合を例に挙げて説明を行う。
【０２４０】
また、参考商品の提供主体については、商品（商品の情報６ａとして記録される商品）の提供者と同一であっても異なっていても良いが、本実施例では、参考商品についても商品（商品の情報６ａとして記録される商品）の提供主体（後述する商品提供者２００）が提供する場合を例に挙げて説明を行う。
【０２４１】
更に、サーバ４は、商品提供者情報記録手段６と連動した商品提供者情報送信手段６ｆを有している。商品提供者情報送信手段６ｆは、商品提供者情報記録手段６に商品提供者情報が記録されたことを契機として、情報提供者端末３に「商品提供者情報が記録された旨」を送信する。
【０２４２】
なお、情報提供者端末３に送信する内容については、「商品提供者情報が記録された旨」のみではなく、商品提供者情報記録手段６に記録された「商品提供者情報」の一部、若しくは、全部であっても良い。
【０２４３】
また、サーバ４は、情報提供者端末３から送信された情報提供者情報を記録する情報提供者情報記録手段７を有する。更に、情報提供者情報は、商品提供者情報記録手段６に記録された商品提供者情報と対応させて（換言すると、関連させて）、情報提供者情報記録手段７に記録する。
なお、図１中符号ａで示す実線は、情報提供者情報と商品提供者情報とが対応していることを示している。
【０２４４】
ここで、情報提供者情報記録手段７は、少なくとも、商品提供者から情報提供者に提供された商品の情報７ｂと、こうした商品と共に提供された第１の付属物の情報７ｃと、第１の付属物の情報７ｃとは異なるその他の情報７ｄと、参考商品の情報７ｅと、こうした参考商品と共に提供される第２の付属物の情報７ｆを記録可能に構成されている。
【０２４５】
更に、サーバ４は、情報提供者情報記録手段７と連動した情報提供者情報送信手段７ｉを有している。情報提供者情報送信手段７ｉは、情報提供者情報記録手段７に情報提供者情報が記録されたことを契機として、商品提供者端末２に「情報提供者情報が記録された旨」を送信する。
【０２４６】
なお、商品提供者端末２に送信する内容については、「情報提供者情報が記録された旨」のみではなく、情報提供者情報記録手段７に記録された「情報提供者情報」の一部、若しくは、全部であっても良い。
【０２４７】
ここで、情報提供者は、商品提供者が提供する商品の生産地（例えば、商品が食品である場合には、田畑、山、海洋、圃場など）、生産場所（例えば、商品が食品である場合には、水産養殖所、牧場、豚舎、養鶏所、家畜飼育所など）、製造場所（例えば、商品が食品である場合には、食品工場など）、保管場所（例えば、商品が食品である場合には、食品倉庫など）、輸送手段（例えば、商品が食品である場合には、輸送船など）、販売場所（例えば、商品が食品である場合には、スーパーなど）、取締場所（例えば、商品が食品である場合には、税関、検疫所など）に立ち入って、商品の情報収集を行い、こうして収集できた情報について情報提供者端末３を通じて記録する。なお、情報提供者としては、各種調査会社等が挙げられるが、特に主体を限定するものではなく、国や県や市町村であっても良い。
【０２４８】
そして、こうした立ち入りで得られる情報については、第１の付属物の情報６ｂに対応する第１の付属物の情報７ｃに限られることなく、その他の情報７ｄも含まれることになり、品質の高い情報の記録が実現することになる。
【０２４９】
なお、情報提供者による商品の情報収集については、必ずしも、上述した商品の生産地等に立ち入って行う必要は無く、各種カメラ（一例として監視カメラが挙げられるが、これに限らない）を通じて、商品提供者が提供する商品の生産地（例えば、商品が食品である場合には、田畑、山、海洋、圃場など）、生産場所（例えば、商品が食品である場合には、水産物養殖所、牧場、豚舎、養鶏所、家畜飼育所など）、製造場所（例えば、商品が食品である場合には、食品工場など）、保管場所（例えば、商品が食品である場合には、食品倉庫など）、輸送手段（例えば、商品が食品である場合には、輸送船など）、販売所（例えば、商品が食品である場合には、スーパーなど）、取締場所（例えば、商品が食品である場合には、税関、検疫所など）等の情報を収集しても良い。
【０２５０】
図２は上述した商品情報管理システムの使用方法の一例を示す概略図である。
なお、以下では、消費者４０（新規顧客）は、商品提供者２０の商品の提供を受けるか否かの検討に際して、情報の収集を行っていることを前提として説明を行う。
【０２５１】
［１． 各種情報の記録］
本発明の商品情報管理システムの使用方法の一例では、消費者４０が情報を得るためには、各種情報がサーバ４に記録される必要がある。そのために、サーバ４への各種情報の記録について説明を行う。
【０２５２】
本発明の商品情報管理システムの使用方法の一例では、先ず、商品提供者２０が情報提供者３０に対して、所定の商品２００と、商品２００と同種同類の商品である参考商品２０２を提供する。ここで、所定の商品２００と参考商品２０２は、一次産品であっても二次産品であっても良い。
【０２５３】
また、商品提供者２０は、所定の商品２００の品質理解のため（換言すると、品質の見える化のため）に、所定の商品２００と共に、第１の付属物（例えば、所定の商品２００の生産に関与したもの、所定の商品２００の原料の生産に関与したもの、など）２０１を情報提供者３０に提供する。同様に、商品提供者２０は、参考商品２０２の品質理解のため（換言すると、品質の見える化のため）に、参考商品２０２と共に、第２の付属物（例えば、参考商品２０２の生産に関与したもの、参考商品２０２の原料の生産に関与したもの、など）２０３を情報提供者３０に提供する。
【０２５４】
即ち、商品提供者２０は、所定の商品２００と共に第１の付属物２０１を、参考商品２０２と共に第２の付属物２０３を情報提供者３０に提供することで、所定の商品２００や参考商品２０２の品質を情報提供者３０が充分に把握できるようにしている。
【０２５５】
また、商品提供者２０は、所定の商品２００と第１の付属物２０１、参考商品２０２と第２の付属物２０３の提供に伴って、商品提供者端末２（図２では図示せず）を用いて、サーバ４に商品提供者情報（所定の商品２００の情報６ａ、第１の付属物２０１の情報６ｂ、参考商品２０２の情報６ｃ、第２の付属物２０３の情報６ｄ、情報提供者３０の情報６ｅ）を送信する（図２中符号（１）で示すステップ）。
【０２５６】
ここで、商品提供者情報記録手段６に商品提供者情報が記録されると、情報提供者３０の情報６ｅに基づいて、情報提供者端末３（図２では図示せず）に「その旨」が送信される（図２中符号（２）で示すステップ）。
【０２５７】
次に、所定の商品２００及び第１の付属物２０１、参考商品２０２及び第２の付属物２０３が提供された情報提供者３０は、情報提供者端末３（図２では図示せず）を用いて、サーバ４に、商品提供者２０から提供された所定の商品２００の情報７ｂ、商品提供者２０から提供された第１の付属物２０１の情報７ｃ、その他の情報７ｄ、商品提供者２０から提供された参考商品２０２の情報７ｅ、及び、商品提供者２０から提供された第２の付属物２０３の情報７ｆを送信する（図２中符号（３）で示すステップ）。
【０２５８】
なお、上記（２）のステップで、「その旨」が送信されていることから、情報提供者３０は、商品提供者情報記録手段６にアクセスし、所定の商品２００の情報６ａ及び第１の付属物２０１の情報６ｂ、参考商品２０２の情報６ｃ及び第２の付属物２０３の情報６ｄを確認することで、実際に提供された所定の商品２００（現物）及び第１の付属物２０１（現物）、参考商品２０２（現物）及び第２の付属物２０３（現物）との異同を確認することができる。
【０２５９】
ここで、情報提供者情報記録手段７に情報提供者情報が記録されると、商品提供者端末２（図２では図示せず）に「その旨」が送信される（図２中符号（４）で示すステップ）。
【０２６０】
上述したような各種情報の記録の後に、消費者４０に対して、各種情報の提供が可能となる。
【０２６１】
なお、ここでは、商品提供者２０が提供する商品２００に関して、情報提供者３０が各種情報の記録を行う場合のみを説明しているが、サーバ４に記録される情報は「商品提供者２０が提供する商品２００」に関するもののみではなく、「商品提供者２０が提供する商品２００とは別の商品」や、「商品提供者２０とは別の商品提供者が提供する商品」に関するものについても記録される。
即ち、本実施例では、消費者４０が、商品提供者２０が提供する商品２００に関連する情報を得る場合を例に挙げて説明を行うが（後述）、サーバ４は、「商品提供者２０が提供する商品２００とは別の商品」や、「商品提供者２０とは別の商品提供者が提供する商品」に関する情報も提供することができる。
【０２６２】
［２．各種情報の提供］
商品提供者２０が提供する商品２００に関連して、各種情報の提供を希望する消費者４０は、消費者端末（図２では図示せず）でインターネット５を介してサーバ４にアクセスを行う（図２中符号（５）で示すステップ）。
【０２６３】
サーバ４にアクセスすると、消費者端末１０には、情報提供が可能な商品提供者の一覧が表示され、消費者４０は表示された一覧の中から「商品提供者２０」を選択する。また、「商品提供者２０」を選択すると、商品提供者２０が提供する商品の一覧が表示され、消費者４０は表示された一覧の中から「商品２００」を選択する。
【０２６４】
そして、消費者端末１０から「商品提供者２０の商品２００」が選択されると、サーバ４に記録された各種情報（商品の情報６ａ、第１の付属物の情報６ｂ、参考商品の情報６ｃ、第２の付属物の情報６ｄ、情報提供者の情報６ｅ、商品の情報７ｂ、第１の付属物の情報７ｃ、その他の情報７ｄ、参考商品の情報７ｅ、第２の付属物の情報７ｆ）が、消費者端末１０に表示される。
【０２６５】
消費者端末１０に表示された各種情報（６ａ〜６ｅ、７ｂ〜７ｆ）を確認した後、消費者４０が商品提供者２０の商品２００の提供を受ける場合（商品提供者２０から商品２００を購入する場合）には、商品提供者２０が消費者４０に商品２００を提供する。なお、商品２００と共に、第１の付属物２０１も提供する。
【０２６６】
［効果］
上記した本発明の商品情報管理システムの使用方法の一例では、商品２００と共に第１の付属物２０１を提供しており、情報提供者３０は商品２００の品質を充分に把握することができる。同様に、参考商品２０２と共に第２の付属物２０３を提供しており、情報提供者３０は参考商品２０２の品質を充分に把握することができる。
【０２６７】
また、「商品２００や第１の付属物２０１」と共に「参考商品２０２や第２の付属物２０３」を提供しており、商品２００の品質の把握にあたって参考商品２０２の品質と比較することができ、情報提供者３０は商品２００の品質を一層充分に把握することができる。
【０２６８】
そして、情報提供者３０が商品２００や参考商品２０２の品質を充分に把握した上で、情報提供者情報（商品の情報７ｂ、第１の付属物の情報７ｃ、その他の情報７ｄ、参考商品の情報７ｅ、第２の付属物の情報７ｆ）を記録するために、情報提供者情報の高品質化が期待でき、消費者は安心して商品を選択することができる。
【０２６９】
また、サーバ４では、商品提供者情報（６ａ〜６ｅ）、及び、情報提供者情報（７ｂ〜７ｆ）が、関連づけて記録されているために、必要な情報が充分に整理され、消費者４０は商品２００の品質の把握をより一層充分に行うことができる。
【０２７０】
更に、消費者４０にその他の情報７ｄが開示されることになり、換言すると、商品提供者２０が開示する情報（６ａ〜６ｅ）を超えた範囲が開示されることになるために、より一層の情報開示が実現し、消費者４０はより一層安心して商品を選択することができる。
【０２７１】
また、その他の情報７ｄについては、情報提供者３０が商品２００の生産地等に立ち入って収集した情報であり、商品提供者２０が提供する情報と同レベルの品質が期待でき、より一層安心して商品を選択することができる。
【０２７２】
更に、第１の付属物の情報６ｂと第１の付属物の情報７ｃの双方が出力され、また、第２の付属物の情報６ｄと第２の付属物の情報７ｆの双方が出力され、商品２００や参考商品２０２を提供する側（商品提供者２０）と商品２００や参考商品２０２を提供される側（情報提供者３０）の双方の情報に基づいて第１の付属物２０１や第２の付属物２０３の特定を行うことにより、情報の改竄や偽造等を抑止することができる。
【０２７３】
同様に、商品の情報６ａと商品の情報７ｂの双方が出力され、また、参考商品の情報６ｃと参考商品の情報７ｅの双方が出力され、商品２００や参考商品２０２を提供する側（商品提供者２０）と商品２００や参考商品２０２を提供される側（情報提供者３０）の双方の情報に基づいて商品２００や参考商品２０２の特定を行うことにより、情報の改竄や偽造等を抑止することができる。
【０２７４】
［変形例１］
上記した本発明の商品情報管理システムの使用方法の一例では、商品２００と参考商品２０２が同種同類の商品である場合を例に挙げて説明を行っているが、参考商品２０２は必ずしも商品２００と同種同類である必要はなく、商品２００と比較可能な状態で提供される商品であれば充分である。
【０２７５】
［変形例２］
また、上記した本発明の商品情報管理システムの使用方法の一例では、商品提供者２０が参考商品２０２を提供する場合を例に挙げて説明を行っているが、商品提供者２０とは別の商品提供者が参考商品２０２を提供しても良い。
【０２７６】
［変形例３］
上記した本発明の商品情報管理システムの使用方法の一例では、所定の商品２００と共に第１の付属物２０１を提供し、参考商品２０２と共に第２の付属物２０３を提供する場合を例に挙げて説明を行っているが、必ずしも第１の付属物２０１や第２の付属物２０３を提供する必要はなく、食品提供者２０から所定の商品２００や参考商品２０２のみが提供されても良い。
この場合（第１の付属物や第２の付属物を提供しない場合）には、第１の付属物とは無関係の商品２００の品質理解のための情報や、第２の付属物とは無関係の参考商品２０２の品質理解のための情報が商品提供者情報記録手段６や情報提供者情報記録手段７に記録され、第１の付属物とは無関係の商品２００の品質理解のための情報や、第２の付属物とは無関係の参考商品２０２の品質理解のための情報が消費者端末１０に表示されることになる。
【０２７７】
［変形例４］
上記した商品情報管理システムの構成例の一例（図１）にＡＩ情報記録手段１１を付加しても良い（図３参照）。
ＡＩ情報記録手段１１は、商品提供者情報記録手段６に記録された商品提供者情報や、情報提供者情報記録手段７に記録された情報提供者情報に基づいて、人工知能（ＡＩ）により各種データベースより収集した所定の情報が記録される。ここでの所定の情報とは、例えば、商品提供者が提供する商品の品質に関する情報、商品提供者が提供する商品と同種の他者の商品に関する情報、等、特に限定されるものでは無い。
そして、ＡＩ情報記録手段１１が付加された場合には、サーバ４にアクセスした消費者４０に対して、ＡＩ情報記録手段１１に記録された情報を提供することができる（換言すると、ＡＩ情報記録手段１１に記録された情報を消費者端末１０に表示することができる）。
【０２７８】
［変形例５］
上記した商品情報管理システムの構成例の一例（図１）にＡＩ情報出力手段１２を付加しても良い（図４参照）。
ＡＩ情報出力手段１２が付加された場合には、サーバ４にアクセスした消費者４０に対して、商品提供者情報記録手段６に記録された商品提供者情報や、情報提供者情報記録手段７に記録された情報提供者情報に基づいて、人工知能（ＡＩ）により各種データベースより収集した所定の情報を提供することができる（換言すると、ＡＩにより各種データベースより収集した所定の情報を消費者端末１０に表示することができる）。なお、ここでの「所定の情報」は、上述の変形例４と同様に、特に限定するものでは無い。
【０２７９】
［変形例６］
上記した変形例４及び変形例５では、人工知能（ＡＩ）をサーバ４で機能させる場合を例に挙げて説明を行っているが、人工知能（ＡＩ）を消費者端末１０で機能させることで、各種データベースより収集した所定の情報を消費者端末１０に表示するような構成としても良い。
【０２８０】
［変形例７］
上記した本発明の商品情報管理システムの使用方法の一例では、取扱対象が「商品」である場合を例に挙げて説明を行っているが、取扱対象は必ずしも「商品」である必要はなく、「サービス（役務）」であっても良い。
【０２８１】
図５は、本発明の商品情報管理システムの構成例の他の一例を説明するための模式図である。
図５で示す商品情報管理システム１は、商品提供者が利用する商品提供者端末２と、情報提供者が利用する情報提供者端末３（３Ａ，３Ｂ，３Ｃ，３Ｄ，３Ｅ，３Ｆ）と、消費者が利用する消費者端末１０と、サーバ４とで構成される。
【０２８２】
また、商品提供者端末２、及び、情報提供者端末３は、インターネット５を介してサーバ４とやり取り可能に構成されている。
【０２８３】
また、サーバ４は、商品提供者端末２から送信された商品提供者情報を記録する商品提供者情報記録手段６を有する。
【０２８４】
ここで、商品提供者情報記録手段６は、少なくとも、商品提供者が情報提供者や消費者に提供する商品の情報６ａと、こうした商品と共に提供される第１の付属物の情報６ｂと、参考商品の情報６ｃと、こうした参考商品と共に提供される第２の付属物の情報６ｄと、出力する情報提供者情報を特定するための出力対象情報６ｇを記録可能に構成されている。
【０２８５】
ここでの参考商品としては、商品提供者が提供する商品（商品の情報６ａとして記録される商品）と同種同類の商品や、商品提供者が提供する商品（商品の情報６ａとして記録される商品）と比較可能な状態で提供される商品を意味する。
なお、「比較可能な状態で提供される商品」としては、（１）店頭で並べて配置されて提供される商品同士、（２）カタログ販売やネット販売で商品画像が並べて掲載される商品同士、（３）改良前後の商品、等が挙げられる。
本実施例では、商品と参考商品とは同種同類の商品である場合を例に挙げて説明を行う。
【０２８６】
また、参考商品の提供主体については、商品（商品の情報６ａとして記録される商品）の提供者と同一であっても異なっていても良いが、本実施例では、参考商品についても商品（商品の情報６ａとして記録される商品）の提供主体（後述する商品提供者２００）が提供する場合を例に挙げて説明を行う。
【０２８７】
なお、商品の情報６ａに紐付けて、第１の付属物の情報６ｂと、参考商品の情報６ｃと、第２の付属物の情報６ｄと、出力対象情報６ｇが記録される。また、複数の商品の情報が記録される場合（即ち、商品の情報６ａに加えて、商品の情報６ａとは別の商品の情報も記録される場合）には、それぞれの商品の情報に対応した第１の付属物の情報、参考商品の情報、第２の付属物の情報、出力対象情報が記録される。
【０２８８】
更に、サーバ４は、商品提供者情報記録手段６と連動した商品提供者情報送信手段６ｆを有している。商品提供者情報送信手段６ｆは、商品提供者情報記録手段６に商品提供者情報が記録されたことを契機として、情報提供者端末３に「商品提供者情報が記録された旨」を送信する。
【０２８９】
なお、情報提供者端末３に送信する内容については、「商品提供者情報が記録された旨」のみではなく、商品提供者情報記録手段６に記録された「商品提供者情報」の一部、若しくは、全部であっても良い。
【０２９０】
また、サーバ４は、情報提供者が利用する情報提供者端末３Ａから送信された情報提供者情報Ａを記録する情報提供者情報記録手段７Ａと、情報提供者が利用する情報提供者端末３Ｂから送信された情報提供者情報Ｂを記録する情報提供者情報記録手段７Ｂと、情報提供者が利用する情報提供者端末３Ｃから送信された情報提供者情報Ｃを記録する情報提供者情報記録手段７Ｃと、情報提供者が利用する情報提供者端末３Ｄから送信された情報提供者情報Ｄを記録する情報提供者情報記録手段７Ｄと、情報提供者が利用する情報提供者端末３Ｅから送信された情報提供者情報Ｅを記録する情報提供者情報記録手段７Ｅと、情報提供者が利用する情報提供者端末３Ｆから送信された情報提供者情報Ｆを記録する情報提供者情報記録手段７Ｆを有する。
【０２９１】
ここで、情報提供者情報記録手段７Ａは、少なくとも、情報提供者端末３Ａを利用する情報提供者の情報７Ａａと、商品提供者から提供された商品の情報７Ａｂと、商品提供者から提供された第１の付属物の情報７Ａｃと、第１の付属物の情報７Ａｃとは異なるその他の情報７Ａｄと、商品提供者から提供された参考商品の情報７Ａｅと、商品提供者から提供された第２の付属物の情報７Ａｆと、第１の付属物の情報７Ａｃやその他の情報７Ａｄや第２の付属物の情報７Ａｆが利用された場合の還元率の情報７Ａｇと、保有するポイントの情報７Ａｈを記録可能に構成されている。
【０２９２】
更に、サーバ４は、情報提供者情報記録手段７Ａと連動した情報提供者情報送信手段７Ａｉを有している。情報提供者情報送信手段７Ａｉは、情報提供者情報記録手段７Ａに情報提供者情報Ａが記録されたことを契機として、商品提供者端末２に「情報提供者情報Ａが記録された旨」を送信する。
【０２９３】
なお、商品提供者端末２に送信する内容については、「情報提供者情報Ａが記録された旨」のみではなく、情報提供者情報記録手段７Ａに記録された「情報提供者情報Ａ」の一部、若しくは、全部であっても良い。
【０２９４】
また、情報提供者の情報７Ａａに紐付けて、商品の情報７Ａｂと、第１の付属物の情報７Ａｃと、その他の情報７Ａｄと、参考商品の情報７Ａｅと、第２の付属物の情報７Ａｆと、還元率の情報７Ａｇと、ポイントの情報７Ａｈが記録される。更に、商品の情報７Ａｂと紐付けて、第１の付属物の情報７Ａｃと、その他の情報７Ａｄと、参考商品の情報７Ａｅと、第２の付属物の情報７Ａｆと、還元率の情報７Ａｇが記録される。なお、複数の商品の情報が記録される場合（即ち、商品の情報７Ａｂに加えて、商品の情報７Ａｂとは別の商品の情報も記録される場合）には、それぞれの商品の情報に対応した第１の付属物の情報、その他の情報、参考商品の情報、第２の付属物の情報、還元率の情報が記録される。
【０２９５】
更に、商品の情報７Ａｂは、商品提供者情報記録手段６に記録された商品の情報６ａと対応させて（換言すると、関連させて）、情報提供者情報記録手段７Ａに記録される。同様に、第１の付属物の情報７Ａｃは、商品提供者情報記録手段６に記録された第１の付属物の情報６ｂと対応させて（換言すると、関連させて）、情報提供者情報記録手段７Ａに記録される。
【０２９６】
また、参考商品の情報７Ａｅは、商品提供者情報記録手段６に記録された参考商品の情報６ｃと対応させて（換言すると、関連させて）、情報提供者情報記録手段７Ａに記録される。同様に、第２の付属物の情報７Ａｆは、商品提供者情報記録手段６に記録された第２の付属物の情報６ｄと対応させて（換言すると、関連させて）、情報提供者情報記録手段７Ａに記録される。
【０２９７】
同様に、情報提供者情報記録手段７Ｂは、少なくとも、情報提供者端末３Ｂを利用する情報提供者の情報７Ｂａと、商品提供者から提供された商品の情報７Ｂｂと、商品提供者から提供された第１の付属物の情報７Ｂｃと、第１の付属物の情報７Ｂｃとは異なるその他の情報７Ｂｄと、商品提供者から提供された参考商品の情報７Ｂｅと、商品提供者から提供された第２の付属物の情報７Ｂｆと、第１の付属物の情報７Ｂｃやその他の情報７Ｂｄや第２の付属物の情報７Ｂｆが利用された場合の還元率の情報７Ｂｇと、保有するポイントの情報７Ｂｈを記録可能に構成されている。
【０２９８】
更に、サーバ４は、情報提供者情報記録手段７Ｂと連動した情報提供者情報送信手段７Ｂｉを有している。情報提供者情報送信手段７Ｂｉは、情報提供者情報記録手段７Ｂに情報提供者情報Ｂが記録されたことを契機として、商品提供者端末２に「情報提供者情報Ｂが記録された旨」を送信する。
【０２９９】
なお、商品提供者端末２に送信する内容については、「情報提供者情報Ｂが記録された旨」のみではなく、情報提供者情報記録手段７Ｂに記録された「情報提供者情報Ｂ」の一部、若しくは、全部であっても良い。
【０３００】
また、情報提供者の情報７Ｂａに紐付けて、商品の情報７Ｂｂと、第１の付属物の情報７Ｂｃと、その他の情報７Ｂｄと、参考商品の情報７Ｂｅと、第２の付属物の情報７Ｂｆと、還元率の情報７Ｂｇと、ポイントの情報７Ｂｈが記録される。更に、商品の情報７Ｂｂと紐付けて、第１の付属物の情報７Ｂｃと、その他の情報７Ｂｄと、参考商品の情報７Ｂｅと、第２の付属物の情報７Ｂｆと、還元率の情報７Ｂｇが記録される。なお、複数の商品の情報が記録される場合（即ち、商品の情報７Ｂｂに加えて、商品の情報７Ｂｂとは別の商品の情報も記録される場合）には、それぞれの商品の情報に対応した第１の付属物の情報、その他の情報、参考商品の情報、第２の付属物の情報、還元率の情報が記録される。
【０３０１】
更に、商品の情報７Ｂｂは、商品提供者情報記録手段６に記録された商品の情報６ａと対応させて（換言すると、関連させて）、情報提供者情報記録手段７Ｂに記録される。同様に、第１の付属物の情報７Ｂｃは、商品提供者情報記録手段６に記録された第１の付属物の情報６ｂと対応させて（換言すると、関連させて）、情報提供者情報記録手段７Ｂに記録される。
【０３０２】
また、参考商品の情報７Ｂｅは、商品提供者情報記録手段６に記録された参考商品の情報６ｃと対応させて（換言すると、関連させて）、情報提供者情報記録手段７Ｂに記録される。同様に、第２の付属物の情報７Ｂｆは、商品提供者情報記録手段６に記録された第２の付属物の情報６ｄと対応させて（換言すると、関連させて）、情報提供者情報記録手段７Ｂに記録される。
【０３０３】
同様に、情報提供者情報記録手段７Ｃは、少なくとも、情報提供者端末３Ｃを利用する情報提供者の情報７Ｃａと、商品提供者から提供された商品の情報７Ｃｂと、商品提供者から提供された第１の付属物の情報７Ｃｃと、第１の付属物の情報７Ｃｃとは異なるその他の情報７Ｃｄと、商品提供者から提供された参考商品の情報７Ｃｅと、商品提供者から提供された第２の付属物の情報７Ｃｆと、第１の付属物の情報７Ｃｃやその他の情報７Ｃｄや第２の付属物の情報７Ｃｆが利用された場合の還元率の情報７Ｃｇと、保有するポイントの情報７Ｃｈを記録可能に構成されている。
【０３０４】
更に、サーバ４は、情報提供者情報記録手段７Ｃと連動した情報提供者情報送信手段７Ｃｉを有している。情報提供者情報送信手段７Ｃｉは、情報提供者情報記録手段７Ｃに情報提供者情報Ｃが記録されたことを契機として、商品提供者端末２に「情報提供者情報Ｃが記録された旨」を送信する。
【０３０５】
なお、商品提供者端末２に送信する内容については、「情報提供者情報Ｃが記録された旨」のみではなく、情報提供者情報記録手段７Ｃに記録された「情報提供者情報Ｃ」の一部、若しくは、全部であっても良い。
【０３０６】
また、情報提供者の情報７Ｃａに紐付けて、商品の情報７Ｃｂと、第１の付属物の情報７Ｃｃと、その他の情報７Ｃｄと、参考商品の情報７Ｃｅと、第２の付属物の情報７Ｃｆと、還元率の情報７Ｃｇと、ポイントの情報７Ｃｈが記録される。更に、商品の情報７Ｃｂと紐付けて、第１の付属物の情報７Ｃｃと、その他の情報７Ｃｄと、参考商品の情報７Ｃｅと、第２の付属物の情報７Ｃｆと、還元率の情報７Ｃｇが記録される。なお、複数の商品の情報が記録される場合（即ち、商品の情報７Ｃｂに加えて、商品の情報７Ｃｂとは別の商品の情報も記録される場合）には、それぞれの商品の情報に対応した第１の付属物の情報、その他の情報、参考商品の情報、第２の付属物の情報、還元率の情報が記録される。
【０３０７】
更に、商品の情報７Ｃｂは、商品提供者情報記録手段６に記録された商品の情報６ａと対応させて（換言すると、関連させて）、情報提供者情報記録手段７Ｃに記録される。同様に、第１の付属物の情報７Ｃｃは、商品提供者情報記録手段６に記録された第１の付属物の情報６ｂと対応させて（換言すると、関連させて）、情報提供者情報記録手段７Ｃに記録される。
【０３０８】
また、参考商品の情報７Ｃｅは、商品提供者情報記録手段６に記録された参考商品の情報６ｃと対応させて（換言すると、関連させて）、情報提供者情報記録手段７Ｃに記録される。同様に、第２の付属物の情報７Ｃｆは、商品提供者情報記録手段６に記録された第２の付属物の情報６ｄと対応させて（換言すると、関連させて）、情報提供者情報記録手段７Ｃに記録される。
【０３０９】
同様に、情報提供者情報記録手段７Ｄは、少なくとも、情報提供者端末３Ｄを利用する情報提供者の情報７Ｄａと、商品提供者から提供された商品の情報７Ｄｂと、商品提供者から提供された第１の付属物の情報７Ｄｃと、第１の付属物の情報７Ｄｃとは異なるその他の情報７Ｄｄと、商品提供者から提供された参考商品の情報７Ｄｅと、商品提供者から提供された第２の付属物の情報７Ｄｆと、第１の付属物の情報７Ｄｃやその他の情報７Ｄｄや第２の付属物の情報７Ｄｆが利用された場合の還元率の情報７Ｄｇと、保有するポイントの情報７Ｄｈを記録可能に構成されている。
【０３１０】
更に、サーバ４は、情報提供者情報記録手段７Ｄと連動した情報提供者情報送信手段７Ｄｉを有している。情報提供者情報送信手段７Ｄｉは、情報提供者情報記録手段７Ｄに情報提供者情報Ｄが記録されたことを契機として、商品提供者端末２に「情報提供者情報Ｄが記録された旨」を送信する。
【０３１１】
なお、商品提供者端末２に送信する内容については、「情報提供者情報Ｄが記録された旨」のみではなく、情報提供者情報記録手段７Ｄに記録された「情報提供者情報Ｄ」の一部、若しくは、全部であっても良い。
【０３１２】
また、情報提供者の情報７Ｄａに紐付けて、商品の情報７Ｄｂと、第１の付属物の情報７Ｄｃと、その他の情報７Ｄｄと、参考商品の情報７Ｄｅと、第２の付属物の情報７Ｄｆと、還元率の情報７Ｄｇと、ポイントの情報７Ｄｈが記録される。更に、商品の情報７Ｄｂと紐付けて、第１の付属物の情報７Ｄｃと、その他の情報７Ｄｄと、参考商品の情報７Ｄｅと、第２の付属物の情報７Ｄｆと、還元率の情報７Ｄｇが記録される。なお、複数の商品の情報が記録される場合（即ち、商品の情報７Ｄｂに加えて、商品の情報７Ｄｂとは別の商品の情報も記録される場合）には、それぞれの商品の情報に対応した第１の付属物の情報、その他の情報、参考商品の情報、第２の付属物の情報、還元率の情報が記録される。
【０３１３】
更に、商品の情報７Ｄｂは、商品提供者情報記録手段６に記録された商品の情報６ａと対応させて（換言すると、関連させて）、情報提供者情報記録手段７Ｄに記録される。同様に、第１の付属物の情報７Ｄｃは、商品提供者情報記録手段６に記録された第１の付属物の情報６ｂと対応させて（換言すると、関連させて）、情報提供者情報記録手段７Ｄに記録される。
【０３１４】
また、参考商品の情報７Ｄｅは、商品提供者情報記録手段６に記録された参考商品の情報６ｃと対応させて（換言すると、関連させて）、情報提供者情報記録手段７Ｄに記録される。同様に、第２の付属物の情報７Ｄｆは、商品提供者情報記録手段６に記録された第２の付属物の情報６ｄと対応させて（換言すると、関連させて）、情報提供者情報記録手段７Ｄに記録される。
【０３１５】
同様に、情報提供者情報記録手段７Ｅは、少なくとも、情報提供者端末３Ｅを利用する情報提供者の情報７Ｅａと、商品提供者から提供された商品の情報７Ｅｂと、商品提供者から提供された第１の付属物の情報７Ｅｃと、第１の付属物の情報７Ｅｃとは異なるその他の情報７Ｅｄと、商品提供者から提供された参考商品の情報７Ｅｅと、商品提供者から提供された第２の付属物の情報７Ｅｆと、第１の付属物の情報７Ｅｃやその他の情報７Ｅｄや第２の付属物の情報７Ｅｆが利用された場合の還元率の情報７Ｅｇと、保有するポイントの情報７Ｅｈを記録可能に構成されている。
【０３１６】
更に、サーバ４は、情報提供者情報記録手段７Ｅと連動した情報提供者情報送信手段７Ｅｉを有している。情報提供者情報送信手段７Ｅｉは、情報提供者情報記録手段７Ｅに情報提供者情報Ｅが記録されたことを契機として、商品提供者端末２に「情報提供者情報Ｅが記録された旨」を送信する。
【０３１７】
なお、商品提供者端末２に送信する内容については、「情報提供者情報Ｅが記録された旨」のみではなく、情報提供者情報記録手段７Ｅに記録された「情報提供者情報Ｅ」の一部、若しくは、全部であっても良い。
【０３１８】
また、情報提供者の情報７Ｅａに紐付けて、商品の情報７Ｅｂと、第１の付属物の情報７Ｅｃと、その他の情報７Ｅｄと、参考商品の情報７Ｅｅと、第２の付属物の情報７Ｅｆと、還元率の情報７Ｅｇと、ポイントの情報７Ｅｈが記録される。更に、商品の情報７Ｅｂと紐付けて、第１の付属物の情報７Ｅｃと、その他の情報７Ｅｄと、参考商品の情報７Ｅｅと、第２の付属物の情報７Ｅｆと、還元率の情報７Ｅｇが記録される。なお、複数の商品の情報が記録される場合（即ち、商品の情報７Ｅｂに加えて、商品の情報７Ｅｂとは別の商品の情報も記録される場合）には、それぞれの商品の情報に対応した第１の付属物の情報、その他の情報、参考商品の情報、第２の付属物の情報、還元率の情報が記録される。
【０３１９】
更に、商品の情報７Ｅｂは、商品提供者情報記録手段６に記録された商品の情報６ａと対応させて（換言すると、関連させて）、情報提供者情報記録手段７Ｅに記録される。同様に、第１の付属物の情報７Ｅｃは、商品提供者情報記録手段６に記録された第１の付属物の情報６ｂと対応させて（換言すると、関連させて）、情報提供者情報記録手段７Ｅに記録される。
【０３２０】
また、参考商品の情報７Ｅｅは、商品提供者情報記録手段６に記録された参考商品の情報６ｃと対応させて（換言すると、関連させて）、情報提供者情報記録手段７Ｅに記録される。同様に、第２の付属物の情報７Ｅｆは、商品提供者情報記録手段６に記録された第２の付属物の情報６ｄと対応させて（換言すると、関連させて）、情報提供者情報記録手段７Ｅに記録される。
【０３２１】
同様に、情報提供者情報記録手段７Ｆは、少なくとも、情報提供者端末３Ｆを利用する情報提供者の情報７Ｆａと、商品提供者から提供された商品の情報７Ｆｂと、商品提供者から提供された第１の付属物の情報７Ｆｃと、第１の付属物の情報７Ｆｃとは異なるその他の情報７Ｆｄと、商品提供者から提供された参考商品の情報７Ｆｅと、商品提供者から提供された第２の付属物の情報７Ｆｆと、第１の付属物の情報７Ｆｃやその他の情報７Ｆｄや第２の付属物の情報７Ｆｆが利用された場合の還元率の情報７Ｆｇと、保有するポイントの情報７Ｆｈを記録可能に構成されている。
【０３２２】
更に、サーバ４は、情報提供者情報記録手段７Ｆと連動した情報提供者情報送信手段７Ｆｉを有している。情報提供者情報送信手段７Ｆｉは、情報提供者情報記録手段７Ｆに情報提供者情報Ｆが記録されたことを契機として、商品提供者端末２に「情報提供者情報Ｆが記録された旨」を送信する。
【０３２３】
なお、商品提供者端末２に送信する内容については、「情報提供者情報Ｆが記録された旨」のみではなく、情報提供者情報記録手段７Ｆに記録された「情報提供者情報Ｆ」の一部、若しくは、全部であっても良い。
【０３２４】
また、情報提供者の情報７Ｆａに紐付けて、商品の情報７Ｆｂと、第１の付属物の情報７Ｆｃと、その他の情報７Ｆｄと、参考商品の情報７Ｆｅと、第２の付属物の情報７Ｆｆと、還元率の情報７Ｆｇと、ポイントの情報７Ｆｈが記録される。更に、商品の情報７Ｆｂと紐付けて、第１の付属物の情報７Ｆｃと、その他の情報７Ｆｄと、参考商品の情報７Ｆｅと、第２の付属物の情報７Ｆｆと、還元率の情報７Ｆｇが記録される。なお、複数の商品の情報が記録される場合（即ち、商品の情報７Ｆｂに加えて、商品の情報７Ｆｂとは別の商品の情報も記録される場合）には、それぞれの商品の情報に対応した第１の付属物の情報、その他の情報、参考商品の情報、第２の付属物の情報、還元率の情報が記録される。
【０３２５】
更に、商品の情報７Ｆｂは、商品提供者情報記録手段６に記録された商品の情報６ａと対応させて（換言すると、関連させて）、情報提供者情報記録手段７Ｆに記録される。同様に、第１の付属物の情報７Ｆｃは、商品提供者情報記録手段６に記録された第１の付属物の情報６ｂと対応させて（換言すると、関連させて）、情報提供者情報記録手段７Ｆに記録される。
【０３２６】
また、参考商品の情報７Ｆｅは、商品提供者情報記録手段６に記録された参考商品の情報６ｃと対応させて（換言すると、関連させて）、情報提供者情報記録手段７Ｆに記録される。同様に、第２の付属物の情報７Ｆｆは、商品提供者情報記録手段６に記録された第２の付属物の情報６ｄと対応させて（換言すると、関連させて）、情報提供者情報記録手段７Ｆに記録される。
【０３２７】
ここで、情報提供者は、商品提供者が提供する商品の生産地（例えば、商品が食品である場合には、田畑、山、海洋、圃場など）、生産場所（例えば、商品が食品である場合には、水産養殖所、牧場、豚舎、養鶏所、家畜飼育所など）、製造場所（例えば、商品が食品である場合には、食品工場など）、保管場所（例えば、商品が食品である場合には、食品倉庫など）、輸送手段（例えば、商品が食品である場合には、輸送船など）、販売場所（例えば、商品が食品である場合には、スーパーなど）、取締場所（例えば、商品が食品である場合には、税関、検疫所など）に立ち入って、商品の情報収集を行い、こうして収集できた情報について情報提供者端末３Ａ〜３Ｆを通じて記録する。なお、情報提供者としては、各種調査会社等が挙げられるが、特に主体を限定するものではなく、国や県や市町村であっても良い。
【０３２８】
そして、こうした立ち入りで得られる情報については、第１の付属物の情報６ｂに対応する第１の付属物の情報７Ａｃ〜７Ｆｃに限られることなく、その他の情報７Ａｄ〜７Ｆｄも含まれることになり、品質の高い情報の記録が実現することになる。
【０３２９】
なお、情報提供者による商品の情報収集については、必ずしも、上述した商品の生産地等に立ち入って行う必要は無く、各種カメラ（一例として監視カメラが挙げられるが、これに限らない）を通じて、商品提供者が提供する商品の生産地（例えば、商品が食品である場合には、田畑、山、海洋、圃場など）、生産場所（例えば、商品が食品である場合には、水産物養殖所、牧場、豚舎、養鶏所、家畜飼育所など）、製造場所（例えば、商品が食品である場合には、食品工場など）、保管場所（例えば、商品が食品である場合には、食品倉庫など）、輸送手段（例えば、商品が食品である場合には、輸送船など）、販売所（例えば、商品が食品である場合には、スーパーなど）、取締場所（例えば、商品が食品である場合には、税関、検疫所など）等の情報を収集しても良い。
【０３３０】
また、サーバ４は、消費者が情報を求めた場合に、出力対象情報６ｇに記録された情報に基づいて、情報提供者情報記録手段７Ａ〜７Ｆに記録された第１の付属物の情報７Ａｃ〜７Ｆｃ、その他の情報７Ａｄ〜７Ｆｄ、参考商品の情報７Ａｅ〜７Ｆｅ、第２の付属物の情報７Ａｆ〜７Ｆｆを出力する付属物情報出力手段８を有する。
具体的には、例えば、出力対象情報６ｇに出力対象として、「第１の付属物の情報７Ｅｃ、その他の情報７Ｅｄ、参考商品の情報７Ｅｅ及び第２の付属物の情報７Ｅｆ」が記録されている場合には、第１の付属物の情報７Ｅｃ、その他の情報７Ｅｄ、参考商品の情報７Ｅｅ及び第２の付属物の情報７Ｅｆが出力されることになる。
【０３３１】
ところで、情報提供者情報の変更を情報提供者の判断のみで行えるとした場合には、変更後の情報の内容によって商品提供者が大きな不利益を被ることも考えられる。例えば、変更前（一例として、新規記録時）には商品提供者が好む内容として商品提供者が選択するように仕向け、その後に悪意をもって虚偽の情報に変更する場合等が挙げられる。
そのため、情報提供者情報の変更については、情報提供者自身が行えるものの、変更内容を商品提供者が承認した場合に限って、その変更が反映されるように構成しても良い。
なお、（記録された情報の変更ではなく）新規の記録の場合には、商品提供者が選択しなければ情報が出力されることは無いため、承認の仕組み等は不要である。
【０３３２】
更に、サーバ４は、付属物情報出力手段８が第１の付属物の情報や第２の付属物の情報を出力した場合に、情報提供者にポイントを付与するポイント付与手段９を有する。
具体的には、例えば、第１の付属物の情報７Ｅｃ、その他の情報７Ｅｄ、参考商品の情報７Ｅｅ及び第２の付属物の情報７Ｅｆが出力された場合には、情報提供者情報記録手段７Ｅの保有するポイントの情報７Ｅｈに、還元率の情報７Ｅｇに応じたポイントが加算されることになる。
【０３３３】
図６は上述した商品情報管理システムの使用方法の一例を示す概略図である。
なお、以下では、消費者４０（新規顧客）は、商品提供者２０の商品の提供を受けるか否かの検討に際して、情報の収集を行っていることを前提として説明を行う。
【０３３４】
［１．各種情報の記録］
本発明の商品情報管理システムの使用方法の一例では、消費者４０が情報を得るためには、各種情報がサーバ４に記録される必要がある。そのために、サーバ４への各種情報の記録について説明を行う。
【０３３５】
本発明の商品情報管理システムの使用方法の一例では、先ず、商品提供者２０は、自身が提供する商品の情報６ａと、自身が提供する第１の付属物の情報６ｂを、商品提供者端末２（図６では図示せず）を用いて商品提供者情報記録手段６に記録する。また、商品提供者２０は、自身が提供する参考商品の情報６ｃと、自身が提供する第２の付属物の情報６ｄを、商品提供者端末２（図６では図示せず）を用いて商品提供者情報記録手段６に記録する（図６中符号（１）で示すステップ）。
【０３３６】
次に、商品提供者２０は情報提供者３０Ａに対して、所定の商品２００と、商品２００と同種同類の商品である参考商品２０２を提供する。ここで、所定の商品２００と参考商品２０２は、一次産品であっても、二次産品であっても良い。
【０３３７】
また、商品提供者２０は、所定の商品２００の品質理解のため（換言すると、品質の見える化のため）に、所定の商品２００と共に、第１の付属物（例えば、所定の商品２００が食品である場合に、その食品の生産に関与したもの、その食品の原料の生産に関与したもの、など）２０１を情報提供者３０Ａに提供する。同様に、商品提供者２０は、参考商品２０２の品質理解のため（換言すると、品質の見える化のため）に、参考商品２０２と共に、第２の付属物（例えば、参考商品２０２が食品である場合に、その食品の生産に関与したもの、その食品の原料の生産に関与したもの、など）２０３を情報提供者３０Ａに提供する。
【０３３８】
即ち、商品提供者２０は、所定の商品２００と共に第１の付属物２０１を、参考商品２０２と共に第２の付属物２０３を情報提供者３０Ａに提供することで、所定の商品２００や参考商品２０２の品質を情報提供者３０Ａが充分に把握できるようにしている。
【０３３９】
続いて、情報提供者３０Ａは、自身を特定する情報（情報提供者の情報７Ａａ）を、情報提供者端末３Ａ（図６では図示せず）を用いて情報提供者情報記録手段７Ａに記録する（図６中符号（２）で示すステップ）。
【０３４０】
また、情報提供者の情報７Ａａに紐付けて、商品提供者２０から提供された商品２００の情報７Ａｂ、商品提供者２０から提供された第１の付属物２０１の情報７Ａｃ、その他の情報７Ａｄ、商品提供者２０から提供された参考商品２０２の情報７Ａｅ、及び、商品提供者２０から提供された第２の付属物２０３の情報７Ａｆを、情報提供者端末３Ａ（図６では図示せず）を用いて情報提供者情報記録手段７Ａに記録する（図６中符号（２）で示すステップ）。
【０３４１】
更に、情報提供者の情報７Ａａに紐付けて、第１の付属物２０１の情報７Ａｃ、その他の情報７Ａｄ、参考商品２０２の情報７Ａｅ及び第２の付属物の情報７Ａｆが利用された場合の還元率の情報７Ａｇを、情報提供者端末３Ａ（図６では図示せず）を用いて情報提供者情報記録手段７Ａに記録する（図６中符号（２）で示すステップ）。
【０３４２】
また、情報提供者３０Ａは、商品２００の品質や、参考商品２０２の品質を把握することが可能となる種々の情報を記録しても良い。
【０３４３】
なお、情報提供者３０Ａが各種情報を記録すると、商品提供者２０に「その旨」が送信される（図６中符号（３）で示すステップ）。
【０３４４】
ここでは、情報提供者３０Ａが、情報提供者の情報７Ａａ、商品の情報７Ａｂ、第１の付属物の情報７Ａｃ、その他の情報７Ａｄ、参考商品の情報７Ａｅ、第２の付属物の情報７Ａｆ、還元率の情報７Ａｇを記録する場合の説明を行っているが、同様にして、情報提供者３０Ｂ、情報提供者３０Ｃ、情報提供者３０Ｄ、情報提供者３０Ｅ及び情報提供者３０Ｆも、記録を行う。
【０３４５】
なお、情報提供者３０Ａ〜３０Ｆは、同タイミングで記録を行うということではなく、商品提供者２０から商品の提供を受けた後に、順次行うものである。
【０３４６】
次に、上記（３）のステップで、「その旨」が送信されていることから、商品提供者２０は、サーバ４にアクセスして、記録された情報提供者情報Ａ〜Ｆを確認した上で、いずれかの情報提供者情報を選択し（例えば、第１の付属物の情報の質を比較して情報提供者情報を選択する、その他の情報の質を比較して情報提供者情報を選択する、参考商品の情報の質を比較して情報提供者情報を選択する、第２の付属物の情報の質を比較して情報提供者情報を選択する、還元率を比較して情報提供者情報を選択する、など）、商品提供者端末２（図６では図示せず）を用いて、出力対象情報６ｇを記録する（図６中符号（４）で示すステップ）。
【０３４７】
上述したような各種情報の記録の後に、消費者４０に対して、各種情報の提供が可能となる。
【０３４８】
なお、ここでは、商品提供者２０が提供する商品２００に関して、情報提供者３０が各種情報の記録を行う場合のみを説明しているが、サーバ４に記録される情報は「商品提供者２０が提供する商品２００」に関するもののみではなく、「商品提供者２０が提供する商品２００とは別の商品」や、「商品提供者２０とは別の商品提供者が提供する商品」に関するものについても記録される。
即ち、本実施例では、消費者４０が、商品提供者２０が提供する商品２００に関連する情報を得る場合を例に挙げて説明を行うが（後述）、サーバ４は、「商品提供者２０が提供する商品２００とは別の商品」や、「商品提供者２０とは別の商品提供者が提供する商品」に関する情報も提供することができる。
【０３４９】
［２．各種情報の提供］
商品提供者２０が提供する商品２００に関連して、各種情報の提供を希望する消費者４０は、消費者端末（図６では図示せず）でインターネット５を介してサーバ４にアクセスを行う（図６中符号（５）で示すステップ）。
【０３５０】
サーバ４にアクセスすると、消費者端末１０には、情報提供が可能な商品提供者の一覧が表示され、消費者４０は表示された一覧の中から「商品提供者２０」を選択する。また、「商品提供者２０」を選択すると、商品提供者２０が提供する商品の一覧が表示され、消費者４０は表示された一覧の中から「商品２００」を選択する。
【０３５１】
そして、消費者端末１０から「商品提供者２０の商品２００」が選択されると、付属物情報出力手段８が、商品提供者情報記録手段６に記録された商品の情報６ａと、商品２００の情報６ａに紐付けられた第１の付属物２０１の情報６ｂ、参考商品２０２の情報６ｃ、第２の付属物２０３の情報６ｄを出力し、消費者端末１０に情報が表示される。
【０３５２】
併せて、付属物情報出力手段８は、商品２００の情報６ａに紐付けられた出力対象情報６ｇに基づいて、情報提供者情報を出力し、消費者端末１０に情報が表示される。具体的には、例えば、出力対象情報６ｇに出力対象として「第１の付属物の情報７Ｅｃ、その他の情報７Ｅｄ、参考商品の情報７Ｅｅ及び第２の付属物の情報７Ｅｆ」が記録されている場合には、第１の付属物の情報７Ｅｃ、その他の情報７Ｅｄ、参考商品の情報７Ｅｅ及び第２の付属物の情報７Ｅｆと、これらの情報に紐付けられた商品の情報７Ｅｂが出力され、消費者端末１０に表示される。
【０３５３】
消費者端末１０に表示された各種情報（６ａ〜６ｄ、７Ｅｂ〜７Ｅｆ）を確認した後、消費者４０が商品提供者２０の商品２００の提供を受ける場合（商品提供者２０の商品２００を購入する場合）には、商品提供者２０が消費者４０に商品２００を提供することになる。なお、商品２００と共に、第１の付属物２０１も提供する。
【０３５４】
なお，付属物情報出力手段８が情報を出力すると、情報提供者に「その旨」が送信される（情報提供者７Ｅに送信される場合について、図６中符号（６）で示すステップ）。
【０３５５】
［３．ポイントの付与］
付属物情報出力手段８が情報を出力すると、ポイント付与手段９は、付属物情報出力手段８が出力した情報の記録者（情報をサーバ４に記録した情報提供者）にポイントを付与する。具体的には、例えば、付属物情報出力手段８が「第１の付属物の情報７Ｅｃ、その他の情報７Ｅｄ、参考商品の情報７Ｅｅ及び第２の付属物の情報７Ｅｆ」を出力した場合には、「商品提供者２０の商品２００の価格」に還元率の情報７Ｅｇを乗じた価格に相当するポイントを付与し、保有するポイントの情報７Ｅｈが更新されることになる。
【０３５６】
［効果］
上記した本発明の商品情報管理システムは、第１の付属物の情報７Ｅｃ、その他の情報７Ｅｄ、参考商品の情報７Ｅｅ及び第２の付属物の情報７Ｅｆによって、商品提供者２０の商品２００の品質を把握することができる。
なお、商品２００の提供を受ける前に、第１の付属物の情報７Ｅｃ、その他の情報７Ｅｄ、参考商品の情報７Ｅｅ及び第２の付属物の情報７Ｅｆを確認することで、商品２００の品質を把握することができるために、消費者４０は商品提供者２０の商品２００を購入するか否かの判断材料を得ることができる。
【０３５７】
更に、第１の付属物の情報６ｂと第１の付属物の情報７Ｅｃの双方が出力され、また、第２の付属物の情報６ｄと第２の付属物の情報７Ｅｆの双方が出力され、商品２００や参考商品２０２を提供する側（商品提供者２０）と商品２００や参考商品２０２を提供される側（情報提供者３０）の双方の情報に基づいて第１の付属物２０１や第２の付属物２０３の特定を行うことにより情報の改竄や偽造等を抑止することができる。
【０３５８】
同様に、商品の情報６ａと商品の情報７Ｅｂの双方が出力され、また、参考商品の情報６ｃと参考商品の情報７Ｅｅの双方が出力され、商品２００や参考商品２０２を提供する側（商品提供者２０）と商品２００や参考商品２０２を提供される側（情報提供者３０）の双方の情報に基づいて商品２００や参考商品２０２の特定を行うことにより、情報の改竄や偽造等を抑止することができる。
【０３５９】
また、情報提供者にポイントが付与されることから、情報提供者情報を登録しようというインセンティブが高まり、情報提供者情報の充実（数量の充実、品質の充実）が期待でき、結果として、情報提供者情報を通じてより一層商品２００の品質を把握することができる。
【０３６０】
また、情報提供者自身が情報提供者情報を登録できること（特に、情報提供者自身が還元率の情報を登録できること）、商品提供者２０が選択した情報提供者情報に対してのみポイントが付与されること、から、情報提供者情報の品質が高められることが期待でき、このことによっても、情報提供者情報を通じてより一層商品２００の品質を把握することができる。
【０３６１】
また、商品２００と共に第１の付属物２０１を提供しており、情報提供者３０や消費者４０は商品２００の品質を充分に把握することができる。同様に、参考商品２０２と共に第２の付属物２０３を提供しており、情報提供者３０は参考商品２０２の品質を充分に把握することができる。
【０３６２】
また、「商品２００や第１の付属物２０１」と共に「参考商品２０２や第２の付属物２０３」を提供しており、商品２００の品質の把握にあたって参考商品２０２の品質と比較することができ、情報提供者３０は商品２００の品質を一層充分に把握することができる。
【０３６３】
そして、情報提供者３０が商品２００や参考商品２０２の品質を充分に把握した上で、情報提供者情報Ａ〜Ｆを記録するために、情報提供者情報の高品質化が期待でき、消費者は安心して商品を選択することができる。
【０３６４】
また、サーバ４では、「商品の情報６ａ」と「商品の情報７Ａｂ〜７Ｆｂ」が、「第１の付属物の情報６ｂ」と「第１の付属物の情報７Ａｃ〜７Ｆｃ」が、「参考商品の情報６ｃ」と「参考商品の情報７Ａｅ〜７Ｆｅ」が、「第２の付属物の情報６ｄ」と「第２の付属物の情報７Ａｆ〜７Ｆｆ」が、関連づけて記録されているために、必要な情報が充分に整理され、商品２００の品質の把握がより一層充分に行えることになる。
【０３６５】
更に、消費者４０にその他の情報７Ａｄ〜７Ｆｄが開示されることになり、換言すると、商品提供者２０が開示する情報６ａ〜６ｄを超えた範囲が開示されることになるために、より一層の情報開示が実現し、消費者４０はより一層安心して商品を選択することができる。
【０３６６】
また、その他の情報７Ａｄ〜７Ｆｄについては、情報提供者３０が商品２００の生産地等に立ち入って収集した情報であり、商品提供者２０が提供する情報と同レベルの品質が期待でき、より一層安心して商品を選択することができる。
【０３６７】
［変形例］
上記した本発明の商品情報管理システムの使用方法の一例では、情報提供者が登録した還元率の情報に応じてポイントを付与する場合を例に挙げて説明を行っているが、情報提供者情報が利用された情報提供者にポイントを付与することで、情報提供者情報の品質を高めることができれば充分であり、必ずしも情報提供者が登録した還元率の情報に応じてポイントを付与する必要はない。例えば、還元率を一律にしたり、付与するポイントを一律にしたり、といった態様でも良い。
【符号の説明】
【０３６８】
１    商品情報管理システム
２    商品提供者端末
３    情報提供者端末
４    サーバ
５    インターネット
６    商品提供者情報記録手段
７    情報提供者情報記録手段
８    付属物情報出力手段
９    ポイント付与手段
１０    消費者端末
１１    ＡＩ情報記録手段
１２    ＡＩ情報出力手段
２０    商品提供者
３０    情報提供者
４０    消費者
２００    商品
２０１    第１の付属物
２０２    参考商品
２０３    第２の付属物
【図１】
2020177636.tif 000003
【図２】
2020177636.tif 000004
【図３】
2020177636.tif 000005
【図４】
2020177636.tif 000006
【図５】
2020177636.tif 000007
【図６】
2020177636.tif 000008
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品の品質理解のための第１の情報と、
前記商品の提供先である前記情報提供者の情報を有し、
前記情報提供者情報は、
前記商品提供者から提供された前記商品の情報と、
前記商品提供者から提供された前記商品の品質理解のための第２の情報であって、前記第１の情報と同一内容であるべき前記第２の情報と、
前記商品と同種同類の商品である参考商品、若しくは、前記商品と比較可能な状態で提供される商品である参考商品の情報と、
前記参考商品の品質理解のための第４の情報を有する、商品情報管理システムであって、
前記情報提供者情報記録手段は、前記情報提供者情報を前記商品提供者情報と対応させて記録すると共に、
前記第２の情報は、前記第１の情報に対応する情報を含み、かつ、
前記商品提供者情報記録手段に前記第１の情報が記録されると、前記商品提供者情報記録手段に記録された前記情報提供者の情報に基づいて、前記情報提供者の端末に前記第１の情報が記録された旨を通知すべく構成されている
商品情報管理システム。
【請求項２】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品の品質理解のための第１の情報と、
前記商品と同種同類の商品である参考商品、若しくは、前記商品と比較可能な状態で提供される商品である参考商品の情報と、
前記参考商品の品質理解のための第３の情報と、
前記商品の提供先である前記情報提供者の情報を有し、
前記情報提供者情報は、
前記商品提供者から提供された前記商品の情報と、
前記商品提供者から提供された前記商品の品質理解のための第２の情報であって、前記第１の情報と同一内容であるべき前記第２の情報と、
前記参考商品の情報と、
前記参考商品の品質理解のための第４の情報であって、前記第３の情報と同一内容であるべき前記第４の情報を有する、商品情報管理システムであって、
前記情報提供者情報記録手段は、前記情報提供者情報を前記商品提供者情報と対応させて記録すると共に、
前記第２の情報は、前記第１の情報に対応する情報を含み、かつ、
前記商品提供者情報記録手段に前記第１の情報が記録されると、前記商品提供者情報記録手段に記録された前記情報提供者の情報に基づいて、前記情報提供者の端末に前記第１の情報が記録された旨を通知すべく構成されている
商品情報管理システム。
【請求項３】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品の品質理解のための第１の情報と、
前記商品と同種同類の商品である参考商品、若しくは、前記商品と比較可能な状態で提供される商品である参考商品の情報と、
前記参考商品の品質理解のための第３の情報と、
前記商品の提供先である前記情報提供者の情報を有し、
前記情報提供者情報は、
前記商品提供者から提供された前記商品の情報と、
前記商品提供者から提供された前記商品の品質理解のための第２の情報であって、前記第１の情報と同一内容であるべき前記第２の情報を有する、商品情報管理システムであって、
前記情報提供者情報記録手段は、前記情報提供者情報を前記商品提供者情報と対応させて記録すると共に、
前記第２の情報は、前記第１の情報に対応する情報を含み、かつ、
前記商品提供者情報記録手段に前記第１の情報が記録されると、前記商品提供者情報記録手段に記録された前記情報提供者の情報に基づいて、前記情報提供者の端末に前記第１の情報が記録された旨を通知すべく構成されている
商品情報管理システム。
【請求項４】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品と共に提供され、前記商品の品質理解のための付属物の情報と、
前記商品の提供先である前記情報提供者の情報を有し、
前記情報提供者情報は、
前記商品提供者から提供された前記商品の情報と、
前記商品提供者から提供された前記商品の品質理解のための第２の情報であって、前記付属物の情報と同一内容であるべき前記第２の情報と、
前記商品と同種同類の商品である参考商品、若しくは、前記商品と比較可能な状態で提供される商品である参考商品の情報と、
前記参考商品の品質理解のための第４の情報を有する、商品情報管理システムであって、
前記情報提供者情報記録手段は、前記情報提供者情報を前記商品提供者情報と対応させて記録すると共に、
前記第２の情報は、前記付属物の情報を含み、かつ、
前記商品提供者情報記録手段に前記付属物の情報が記録されると、前記商品提供者情報記録手段に記録された前記情報提供者の情報に基づいて、前記情報提供者の端末に前記付属物の情報が記録された旨を通知すべく構成されている
商品情報管理システム。
【請求項５】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品と共に提供され、前記商品の品質理解のための付属物の情報と、
前記商品と同種同類の商品である参考商品、若しくは、前記商品と比較可能な状態で提供される商品である参考商品の情報と、
前記参考商品の品質理解のための第３の情報と、
前記商品の提供先である前記情報提供者の情報を有し、
前記情報提供者情報は、
前記商品提供者から提供された前記商品の情報と、
前記商品提供者から提供された前記商品の品質理解のための第２の情報であって、前記付属物の情報と同一内容であるべき前記第２の情報と、
前記参考商品の情報と、
前記参考商品の品質理解のための第４の情報であって、前記第３の情報と同一内容であるべき前記第４の情報を有する、商品情報管理システムであって、
前記情報提供者情報記録手段は、前記情報提供者情報を前記商品提供者情報と対応させて記録すると共に、
前記第２の情報は、前記付属物の情報を含み、かつ、
前記商品提供者情報記録手段に前記付属物の情報が記録されると、前記商品提供者情報記録手段に記録された前記情報提供者の情報に基づいて、前記情報提供者の端末に前記付属物の情報が記録された旨を通知すべく構成されている
商品情報管理システム。
【請求項６】
商品提供者の端末から送信された情報を、商品提供者情報として記録する商品提供者情報記録手段と、
前記商品提供者とは異なる情報提供者の端末から送信された情報を、情報提供者情報として記録する情報提供者情報記録手段と、を備え、
前記商品提供者情報は、
前記商品提供者が提供する所定の商品の情報と、
前記商品と共に提供され、前記商品の品質理解のための付属物の情報と、
前記商品と同種同類の商品である参考商品、若しくは、前記商品と比較可能な状態で提供される商品である参考商品の情報と、
前記参考商品の品質理解のための第３の情報と、
前記商品の提供先である前記情報提供者の情報を有し、
前記情報提供者情報は、
前記商品提供者から提供された前記商品の情報と、
前記商品提供者から提供された前記商品の品質理解のための第２の情報であって、前記付属物の情報と同一内容であるべき前記第２の情報を有する、商品情報管理システムであって、
前記情報提供者情報記録手段は、前記情報提供者情報を前記商品提供者情報と対応させて記録すると共に、
前記第２の情報は、前記付属物の情報を含み、かつ、
前記商品提供者情報記録手段に前記付属物の情報が記録されると、前記商品提供者情報記録手段に記録された前記情報提供者の情報に基づいて、前記情報提供者の端末に前記付属物の情報が記録された旨を通知すべく構成されている
商品情報管理システム。
【請求項７】
前記情報提供者は、前記商品提供者が提供する商品の生産地、生産場所、製造場所、保管場所、輸送手段、販売場所、若しくは、取締場所の少なくとも１つに立ち入って情報収集を行い、または、カメラを通じて、前記商品提供者が提供する商品の生産地、生産場所、製造場所、保管場所、輸送手段、販売場所、若しくは、取締場所の少なくとも１つの情報収集を行い、
前記第２の情報は、前記情報提供者が立ち入って、または、カメラを通じて情報収集した情報である
請求項１、請求項２、請求項３、請求項４、請求項５または請求項６に記載の商品情報管理システム。
【請求項８】
前記情報提供者情報記録手段は、前記商品提供者情報記録手段とは異なる
請求項１、請求項２、請求項３、請求項４、請求項５、請求項６または請求項７に記載の商品情報管理システム。
【請求項９】
前記情報提供者情報記録手段に記録された前記情報提供者情報のうち、前記商品提供者が選択した情報提供者情報である選択情報、若しくは、同選択情報にアクセス可能な識別子の情報を出力する選択情報出力手段と、
前記選択情報出力手段が情報を出力することによって、前記情報提供者情報が利用された前記情報提供者に対して、ポイントを付与するポイント付与手段と、を備える
請求項１、請求項２、請求項３、請求項４、請求項５、請求項６、請求項７または請求項８に記載の商品情報管理システム。
【請求項１０】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスの品質理解のための第１の情報と、
前記サービスの提供先である前記情報提供者の情報を有し、
前記情報提供者情報は、
前記サービス提供者から提供された前記サービスの情報と、
前記サービス提供者から提供された前記サービスの品質理解のための第２の情報であって、前記第１の情報と同一内容であるべき前記第２の情報と、
前記サービスと同種同類のサービスである参考サービスの情報と、
前記参考サービスの品質理解のための第４の情報を有する、サービス情報管理システムであって、
前記情報提供者情報記録手段は、前記情報提供者情報を前記サービス提供者情報と対応させて記録すると共に、
前記第２の情報は、前記第１の情報に対応する情報を含み、かつ、
前記サービス提供者情報記録手段に前記第１の情報が記録されると、前記サービス提供者情報記録手段に記録された前記情報提供者の情報に基づいて、前記情報提供者の端末に前記第１の情報が記録された旨を通知すべく構成されている
サービス情報管理システム。
【請求項１１】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスの品質理解のための第１の情報と、
前記サービスと同種同類のサービスである参考サービスの情報と、
前記参考サービスの品質理解のための第３の情報と、
前記サービスの提供先である前記情報提供者の情報を有し、
前記情報提供者情報は、
前記サービス提供者から提供された前記サービスの情報と、
前記サービス提供者から提供された前記サービスの品質理解のための第２の情報であって、前記第１の情報と同一内容であるべき前記第２の情報と、
前記参考サービスの情報と、
前記参考サービスの品質理解のための第４の情報であって、前記第３の情報と同一内容であるべき前記第４の情報を有する、サービス情報管理システムであって、
前記情報提供者情報記録手段は、前記情報提供者情報を前記サービス提供者情報と対応させて記録すると共に、
前記第２の情報は、前記第１の情報に対応する情報を含み、かつ、
前記サービス提供者情報記録手段に前記第１の情報が記録されると、前記サービス提供者情報記録手段に記録された前記情報提供者の情報に基づいて、前記情報提供者の端末に前記第１の情報が記録された旨を通知すべく構成されている
サービス情報管理システム。
【請求項１２】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスの品質理解のための第１の情報と、
前記サービスと同種同類のサービスである参考サービスの情報と、
前記参考サービスの品質理解のための第３の情報と、
前記サービスの提供先である前記情報提供者の情報を有し、
前記情報提供者情報は、
前記サービス提供者から提供された前記サービスの情報と、
前記サービス提供者から提供された前記サービスの品質理解のための第２の情報であって、前記第１の情報と同一内容であるべき前記第２の情報を有する、サービス情報管理システムであって、
前記情報提供者情報記録手段は、前記情報提供者情報を前記サービス提供者情報と対応させて記録すると共に、
前記第２の情報は、前記第１の情報に対応する情報を含み、かつ、
前記サービス提供者情報記録手段に前記第１の情報が記録されると、前記サービス提供者情報記録手段に記録された前記情報提供者の情報に基づいて、前記情報提供者の端末に前記第１の情報が記録された旨を通知すべく構成されている
サービス情報管理システム。
【請求項１３】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスと共に提供され、前記サービスの品質理解のための付属物の情報と、
前記サービスの提供先である前記情報提供者の情報を有し、
前記情報提供者情報は、
前記サービス提供者から提供された前記サービスの情報と、
前記サービス提供者から提供された前記サービスの品質理解のための第２の情報であって、前記付属物の情報と同一内容であるべき前記第２の情報と、
前記サービスと同種同類のサービスである参考サービスの情報と、
前記参考サービスの品質理解のための第４の情報を有する、サービス情報管理システムであって、
前記情報提供者情報記録手段は、前記情報提供者情報を前記サービス提供者情報と対応させて記録すると共に、
前記第２の情報は、前記付属物の情報を含み、かつ、
前記サービス提供者情報記録手段に前記付属物の情報が記録されると、前記サービス提供者情報記録手段に記録された前記情報提供者の情報に基づいて、前記情報提供者の端末に前記付属物の情報が記録された旨を通知すべく構成されている
サービス情報管理システム。
【請求項１４】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスと共に提供され、前記サービスの品質理解のための付属物の情報と、
前記サービスと同種同類のサービスである参考サービスの情報と、
前記参考サービスの品質理解のための第３の情報と、
前記サービスの提供先である前記情報提供者の情報を有し、
前記情報提供者情報は、
前記サービス提供者から提供された前記サービスの情報と、
前記サービス提供者から提供された前記サービスの品質理解のための第２の情報であって、前記付属物の情報と同一内容であるべき前記第２の情報と、
前記参考サービスの情報と、
前記参考サービスの品質理解のための第４の情報であって、前記第３の情報と同一内容であるべき前記第４の情報を有する、サービス情報管理システムであって、
前記情報提供者情報記録手段は、前記情報提供者情報を前記サービス提供者情報と対応させて記録すると共に、
前記第２の情報は、前記付属物の情報を含み、かつ、
前記サービス提供者情報記録手段に前記付属物の情報が記録されると、前記サービス提供者情報記録手段に記録された前記情報提供者の情報に基づいて、前記情報提供者の端末に前記付属物の情報が記録された旨を通知すべく構成されている
サービス情報管理システム。
【請求項１５】
サービス提供者の端末から送信された情報を、サービス提供者情報として記録するサービス提供者情報記録手段と、
前記サービス提供者とは異なる情報提供者の端末から送信された情報を、情報提供者情報として記録する情報提供者情報記録手段と、を備え、
前記サービス提供者情報は、
前記サービス提供者が提供する所定のサービスの情報と、
前記サービスと共に提供され、前記サービスの品質理解のための付属物の情報と、
前記サービスと同種同類のサービスである参考サービスの情報と、
前記参考サービスの品質理解のための第３の情報と、
前記サービスの提供先である前記情報提供者の情報を有し、
前記情報提供者情報は、
前記サービス提供者から提供された前記サービスの情報と、
前記サービス提供者から提供された前記サービスの品質理解のための第２の情報であって、前記付属物の情報と同一内容であるべき第２の情報を有する、サービス情報管理システムであって、
前記情報提供者情報記録手段は、前記情報提供者情報を前記サービス提供者情報と対応させて記録すると共に、
前記第２の情報は、前記付属物の情報を含み、かつ、
前記サービス提供者情報記録手段に前記付属物の情報が記録されると、前記サービス提供者情報記録手段に記録された前記情報提供者の情報に基づいて、前記情報提供者の端末に前記付属物の情報が記録された旨を通知すべく構成されている
サービス情報管理システム。
【請求項１６】
前記情報提供者は、前記サービス提供者が提供するサービスの提供場所、前記サービス提供者が提供するサービスに用いる物の生産地、前記サービス提供者が提供するサービスに用いる物の生産場所、前記サービス提供者が提供するサービスに用いる物の製造場所、前記サービス提供者が提供するサービスに用いる物の保管場所、前記サービス提供者が提供するサービスに用いる物の輸送手段、前記サービス提供者が提供するサービスに用いる物の販売場所、若しくは、前記サービス提供者が提供するサービスに用いる物の取締場所の少なくとも１つに立ち入って情報収集を行い、または、カメラを通じて、前記サービス提供者が提供するサービスの提供場所、前記サービス提供者が提供するサービスに用いる物の生産地、前記サービス提供者が提供するサービスに用いる物の生産場所、前記サービス提供者が提供するサービスに用いる物の製造場所、前記サービス提供者が提供するサービスに用いる物の保管場所、前記サービス提供者が提供するサービスに用いる物の輸送手段、前記サービス提供者が提供するサービスに用いる物の販売場所、若しくは、前記サービス提供者が提供するサービスに用いる物の取締場所の少なくとも１つの情報収集を行い、
前記第２の情報は、前記情報提供者が立ち入って、または、カメラを通じて情報収集した情報である
請求項１０、請求項１１、請求項１２、請求項１３、請求項１４または請求項１５に記載のサービス情報管理システム。
【請求項１７】
前記情報提供者情報記録手段は、前記サービス提供者情報記録手段とは異なる
請求項１０、請求項１１、請求項１２、請求項１３、請求項１４、請求項１５または請求項１６に記載のサービス情報管理システム。
【請求項１８】
前記情報提供者情報記録手段に記録された前記情報提供者情報のうち、前記サービス提供者が選択した情報提供者情報である選択情報、若しくは、同選択情報にアクセス可能な識別子の情報を出力する選択情報出力手段と、
前記選択情報出力手段が情報を出力することによって、前記情報提供者情報が利用された前記情報提供者に対して、ポイントを付与するポイント付与手段と、を備える
請求項１０、請求項１１、請求項１２、請求項１３、請求項１４、請求項１５、請求項１６または請求項１７に記載のサービス情報管理システム。